(57)【要約】  １つのプロセッサ・ブロックと、少なくとも２つの通信および／または供給接触および／または非接触インタフェースとを備えるポータブル・オブジェクトのリソースの変動に対する耐性方法であって、前記方法が、前記インタフェースのうちの１つのインタフェース上の少なくとも１つのリソースの利用度の状態の少なくとも１つの制御ステップと、リソースの選択ステップとを含む。前記方法は、下記のステップ、すなわち、前記リソースの利用度の変動中、前記プロセッサ・ブロックに対して中断信号を生成することと、前記プロセッサが、前記リソースの選択ができるように前記中断信号を処理することとを含むことを特徴とする。本発明は、また、関連ポータブル・オブジェクトにも関する。【選択図】  図７
2007520794.tif 000002
【特許請求の範囲】
【請求項１】
プロセッサ・ブロックと、少なくとも２つの通信および／または接触を含むおよび／または含まない供給インタフェースとを備えるポータブル・オブジェクトのリソースの変動に対する耐性方法であって、前記方法が、少なくとも
前記インタフェースのうちの１つのインタフェース上の少なくとも１つのリソースの利用度の状態の制御ステップと、前記リソースの選択ステップとを含み、
前記方法が、
前記リソースの利用度の変動により、前記プロセッサ・ブロックに対して中断信号を生成することと、
前記プロセッサが、前記リソースの選択ができるように前記中断信号を処理することとを特徴とする方法。
【請求項２】
少なくとも１つのリソースの利用度の状態の遷移に従って、リソース制御装置が中断信号を生成することを特徴とする請求項１に記載の方法。
【請求項３】
下記の遷移に対して、すなわち
前記接触インタフェースを介しての低電力供給状態から前記非接触インタフェース（３）を介しての電力供給状態への遷移（１３．１７；１４．１８）、この場合、前記非接触インタフェース（３）を介して入手することができる電圧は、しきい値電圧より高い、
前記非接触インタフェース（３）を介しての供給状態からこの供給の中止状態への遷移（１７．１３；１８．１４）、この場合、前記非接触インタフェース（３）が受け取る電圧は、しきい値電圧より低い、
前記非接触インタフェース（３）を介しての供給状態から前記接触インタフェース（７）を介しての供給状態への遷移（１５．１６）、
前記接触インタフェース７を介しての供給により、前記接触インタフェース（７）が命じた遷移（１６．１６）またはリセット・シーケンスに対して前記中断信号が生成されることを特徴とする請求項１または２に記載の方法。
【請求項４】
この方法が、電力および／またはクロック・リソース（ＶＣＣ；ＶＤＤ；ＣＬＫ）の完全同時管理に対する少なくとも１つの即時警告ステップを含むことを特徴とする請求項１乃至３の何れか１項に記載の方法。
【請求項５】
前記即時警告ステップが、前記リソースの少なくとも一部が、前記非接触インタフェース（３）を介して分岐できるように、前記リソースの転換段階に対する準備をすることを特徴とする請求項４に記載の方法。
【請求項６】
この方法が、前記チップ（６）が、スリープ状態（１３；１４；１７；１８）中に低消費制限に適合するように、スリープ制御装置を形成している少なくとも１つの論理的段階のために準備することを特徴とする請求項１乃至５の何れか１項に記載の方法。
【請求項７】
プロセッサ・ブロックと、少なくとも２つの通信および／または供給接触および／または非接触インタフェースとを備えるポータブル・オブジェクトのリソースの変動に対する耐性デバイスであって、前記デバイスが、前記インタフェースのうちの１つのインタフェース上で少なくとも１つのリソースの利用度の状態を制御し、リソースを選択するための少なくとも１つの手段を備え、
前記デバイスが、リソースの利用度の変動中に前記プロセッサ・ブロックへの中断信号を生成することができることと、前記プロセッサが、前記リソースの選択ができるようにするために、前記中断を処理することができることとを特徴とするデバイス。
【請求項８】
前記デバイスが、前記非接触インタフェース（３）からの電力消費を制限するためのダイオード（２０）と、前記接触インタフェース（７）を介してまたは前記非接触インタフェース（３）を介して、２つの電力供給モード間での切替を保証する論理ゲート（２１）とを含む耐性手段（１０３）を備えることを特徴とする請求項７に記載のデバイス。
【請求項９】
前記耐性手段（１０３）が、前記接触インタフェース（７）からのおよび前記非接触インタフェース（３）からの電力供給リソースの存在を検出することができる少なくとも１つの配線機構（Ｍ１）を備え、前記機構（Ｍ１）が、これらのレジスタ（Ｒ１および／またはＲ２）を修正した場合には必ず、例えば、中断という形の警報信号となるように、その助けを借りて耐性手段（１０３）が前記供給リソース（ＶＣＣ；ＶＤＤ）の状態（能動／停止）を表示する少なくとも２つのレジスタ（Ｒ１；Ｒ２）と、前記耐性手段（１０３）が、前記レジスタ（Ｒ１；Ｒ２）をチェックした後で、使用する前記電力源を選択するように、前記機構（Ｍ１）を処理ブロック（１０８）に接続している配線を備えることを特徴とする請求項７または８に記載のデバイス。
【請求項１０】
前記耐性手段（１０３）が、前記選択したソースが前記チップ（６）に電力を供給することを保証する前記チップ（６）内に位置する配線機構（Ｍ２）を備えることを特徴とする請求項９に記載のデバイス。
【請求項１１】
前記デバイスが、電力および／またはクロック・リソース（ＶＣＣ；ＶＤＤ；ＣＬＫ）の完全同時管理のための即時警告手段（１０２）を備えることを特徴とする請求項７乃至１０の何れか１項に記載のデバイス。
【請求項１２】
前記即時警告手段（１０２）が、前記リソースの少なくとも一部が前記非接触インタフェース（３）を介して分岐することができるように、リソースの転換を可能にする少なくとも１つの機能ブロック（１０３；１０７）のために準備することを特徴とする請求項１１に記載のデバイス。
【請求項１３】
前記機能ブロック（１０７）が、前記チップ（６）に前記接触インタフェース（７）および／または非接触インタフェース（３）からの供給リソースの出現および／または消失を知らせるための、前記チップ（６）に適当な電圧および電力を供給するための配線または類似のものを備えることを特徴とする請求項７乃至１２の何れか１項に記載のデバイス。
【発明の詳細な説明】
【技術分野】
【０００１】
本発明は、接触またはガルバニック通信インタフェースを備える同時接触を行わない通信インタフェースのインテリジェント・ポータブル・オブジェクト内のセキュア機能に関する。
本発明は、また、そのデータが異なるアプリケーションを含む同時接触を行わないインタフェースを通過し、そのデータがガルバニック・インタフェースを通過するアプリケーションのセキュア機能に関する。
本発明の目的は、エネルギー・リソースの変動への完全同時耐性である。
本発明は、また、同じタイプまたは異なるタイプの少なくとも２つのインタフェースを備えるインテリジェント・オブジェクトにも適用される。
【背景技術】
【０００２】
ここで、一方のインテリジェント・ポータブル・オブジェクト、他方の電子データ送信端末との違いに留意されたい。
インテリジェント・ポータブル・オブジェクトは、例えば、チップ・カード、電子チケット、いわゆる「ドングル」プラグ、または近接通信モジュール（例えば、ＮＦＣ）、または準近接通信モジュール（例えば、ＢｌｕｅＴｏｏｔｈ）のような他のモジュールを含む。これらのオブジェクトには、これらのオブジェクトに構造および機能を指定する標準が適用される。
【０００３】
より詳細に説明すると、ここでの当該オブジェクトは、以下に詳細に説明する標準に適合する。
・ガルバニック通信インタフェースに関するＩＳＯ７８１６．３、特に５．２節（作動）および５３２段落（「ＲＳＴ」と呼ばれるコールド初期化−図２参照）、５３３および５３４段落（「ＣＬＫ」と呼ばれるクロック・ポーズ、この中断の許容範囲を必要とするモードの説明）；
【０００４】
いくつかの例の場合には、それ故、オブジェクトは下記標準に適合する。
・非接触通信インタフェースに関するＩＳＯ．ＩＥＣ１４４４３、特に６１１節（「ＦＤＴ」と呼ばれる応答時間）；および
・端末に挿入する「ＳＩＭ」と呼ばれるオブジェクト、または類似のオブジェクトに関する３ＧＰＰＴＳ１１．１１、特に４３節（ガルバニック通信インタフェース）。
【０００５】
例の場合には、非接触インタフェースは、このオブジェクトのモジュールに内蔵され、および／またはこのオブジェクトのカード本体に内蔵され、および／またはガルバニック端末ボードによりセキュア状態にされ、接続している端末に内蔵されているアンテナを備えることに留意されたい。
それ故、ここで関連するインテリジェント・ポータブル・オブジェクトの構造は、接触タイプおよび非接触タイプである。これらのオブジェクトは、「ＣｏｍｂｉＣａｒｄｓ」またはデュアル・インタフェース・オブジェクトと呼ばれる。すなわち、これらのオブジェクトは、同時に下記のものを備える。
【０００６】
・１つまたは複数の電子データ送信端末および／または他の遠隔ポータブル・オブジェクトを備える、非接触インタフェースを介しての遠隔通信のための手段およびステップ；および
・ガルバニック接続または「接触」と呼ばれるガルバニックまたはオーム・インタフェースを介しての接触により通信するための手段およびステップ。非接触インタフェースの少なくとも一部は、オブジェクトに内蔵されていることに留意されたい。
しかし、上記すべてのオブジェクトは、標準ＩＳＯ７８１６．３に適合することを強調しておきたい。
【０００７】
オブジェクトが使用する非接触通信プロトコルに関連して、この標準は、いくつかの例により、下記のものを含む。ＩＳＯ．ＩＥＣ１４４４３（ＲＦ）、「ＮＦＣ」と呼ばれるＥＣＭＡ３４０のような近接通信、または「ＢｌｕｅＴｏｏｔｈ」のような準近接通信、および（「ＷｉＦｉ」）と呼ばれる他の広帯域通信のような通信仕様。
標準ＩＳＯ７８１６．３および「非接触」標準に適合するのに適している現在のオブジェクトの中で、チップを有するものをあげておきたい：Ｈｉｔａｃｈｉ  ＡＥ４５Ｘ（Ｒｅｎｅｓａｓ）；Ｉｎｆｉｎｅｏｎ  ＳＬＥ  ６６ＣＬＸ３２０Ｐ；Ｐｈｉｌｉｐｓ  Ｐ５ＣＴ０７２；ＳＴＭｉｃｒｏＥｌｅｃｔｒｏｎｉｃｓ  ＳＴ１９ＸＲ３４。
【０００８】
ここで、本発明に関連する送信端末について説明する。これらの端末は、例えば、携帯電話（例えば、ＧＳＭ、３ＧＰＰ、ＵＭＴＳ、ＣＤＭＡ等）、携帯情報端末（例えば、ＰＤＡ）、復号ボックスおよびコンピュータである。
これらの端末は、好ましくは、少なくとも１つのポータブル・インテリジェント・オブジェクトによりセキュア状態になる。
【０００９】
本明細書に記載する端末は、物理フォーマット「ＳＩＭ」を有するオブジェクトにより制限的にセキュア状態にならないことに留意されたい。これらの端末のいくつかの設計は、自身の無線通信のケーブル（手段およびステップ）である。
この通信は、例えば、標準ＧＳＭ、３ＧＰＰ、ＵＭＴＳ、ＣＤＭＡまたは類似の標準に適合する。いくつかの例において、端末およびオブジェクトが、標準３ＧＰＰＴＳ１１．１１、特に物理フォーマット「ＳＩＭ」に関する４１２節に適合するのは説明を簡単にするためである。
【００１０】
文書ＥＰ０８６５１６７は、動作モードを制御するために、高精度クロックおよび「遅いクロック」に結合している少なくとも１つのプロセッサの他に、通常の動作モードの場合の時間基準を供給するための高精度クロック、および劣化した機能モードの場合に時間基準を供給するための「遅いクロック」を含む移動網端末を開示している。
現在まで、一度に完全に使用できるのは、これらインタフェースのうちの１つだけである。１つのインタフェースしか使用できないという事実は、いくつかの方法で他のインタフェースの機能を抑制し、悪影響を与えている。
【００１１】
まず第一に、本明細書で使用する場合、「トランザクション」という用語は、あるアプリケーションのコンテキスト（例えば、支払い、識別、電話またはアクセス）内での端末からオブジェクトへの少なくとも１つのコマンドの送信を意味する。
例えば、非接触インタフェースを介してこのタイプのトランザクションが進行中に、接触インタフェースおよびそれ故、ポータブル・オブジェクトを使用するセキュア端末を介しての標準ＩＳＯ７８１６．３によるあるアプリケーションの実行手順を行うと、特に、このオブジェクトに電流を供給するための、およびこのオブジェクトにクロックおよび接触インタフェースのリセットの作動を供給するための準備が行われる。これにより非接触アプリケーションは終了する。
【００１２】
最初に概略説明し、後で実施形態の方法のところで、特に目的とする状態および遷移に関してより詳細に説明するように、種々の問題に遭遇することになる。
遭遇する１つの問題は、接触インタフェースのリセットの強制的な作動により、現時点においてはチップが再初期化されることである。その目的は、この場合、非接触インタフェースを介して進行中のトランザクションを確実に引き続き正常に進行することである。すなわち、その狙いは、接触インタフェースが動作中、進行中の非接触トランザクションを維持することができるようにすることである。
【００１３】
遭遇するもう１つの問題は、現時点で不可能な２つの遷移に関する。現時点で不可能なこれらの遷移のうちの１つの後に、オブジェクトは、非接触インタフェースのためにアプリケーションを処理していて、オブジェクトは接触インタフェースを介して端末により呼び出され、その結果、この非接触アプリケーションは、端末のためにスタートしなければならない他の接触アプリケーションと同時に処理される。
これは、例えば、携帯電話（電話の会話をセキュア状態にしている接触アプリケーション）を形成していて、非接触アプリケーションが、アクセス輸送機関、構内等を目的とする端末の場合である。
【００１４】
現時点においては、アクセスの許可のようなアプリケーションが、非接触インタフェースを介してすでに進行中である場合には、接触インタフェースを介してオブジェクトによりトランザクション（例えば、電話の会話）をセキュア状態にすることはできない。
通常、今までは、非接触アプリケーションは突然打ち切られる。何故なら、接触インタフェースを介して端末のためにアプリケーションをスタートすると、チップがリセットされ、多くの場合、非接触アプリケーションにとって有用なデータが喪失するからである。
【００１５】
対照的に、現時点で不可能な他の遷移も対象になる。他の遷移の場合には、接触インタフェースを介してのアプリケーションがすでに他のアプリケーションに対して進行中である場合に、非接触インタフェースを介してあるアプリケーションのためにオブジェクトが突然呼び出された場合には、接触アプリケーションは停止する。
セキュア・セル端末の例の場合には、非接触アプリケーションが進行中に、接触アプリケーションがこの時点で停止すると、特にこの端末が停止すると、上記非接触アプリケーションは突然打ち切られる（リセットされ、データが喪失する）。
【００１６】
それ故、この問題は、２つの同時アプリケーション、すなわち１つの接触アプリケーションおよび１つの非接触アプリケーションの同時管理（完全使用）に関する。
現時点では、これらの場合、接触インタフェースのリソース、または要求または非同期非接触テンプレートが消失すると、進行中のアプリケーションが悪影響を受けるか、または無視される。
【００１７】
遭遇するもう１つの問題は、それによりオブジェクトの接触インタフェースからの電力供給が制限される（標準）浅いスリープ状態に関連する。一方、両方のインタフェース、すなわち接触インタフェースおよび非接触インタフェースからのリソースが、同時にオブジェクトにより要求される。
この状態へのおよびからの遷移も含まれる。
【００１８】
この場合、通常、スリープ状態は能動状態に関連することに留意されたい。それ故、携帯電話端末の場合には、この端末の使用時間の９５％の間オブジェクトがスリープ状態になることはよく起こることである。
現在まで、浅いスリープ状態の場合、使用できる唯一のリソースは、接触インタフェースからの外部クロック信号の他には、低減した電源だけである。
これらの制限されたリソースでは、非接触インタフェースからのアプリケーションを処理することはできない。
【００１９】
このことは、現在まで、例えば、高いセキュアの接触アプリケーション（銀行、電話等）と非接触アプリケーションとの間で、同じオブジェクト内での分割を制限することによりうまく行われてきた。
それ故、この場合、特に電力の点で同時に使用することができる外部リソースを有することができれば好都合である。この場合の利点は、非接触アプリケーションが、この接触インタフェースに適用される標準がそれを要求している場合、接触インタフェースからのリソース（電力）を消費しないで、動作することができることである。
【００２０】
上記問題に類似している問題は、深いスリープ状態にする外部接触クロック源の消失に関連する。一方、非接触インタフェースにより管理されるアプリケーションがすでにスタートしている。
これが、例えば、接触インタフェース端末が供給するクロック信号が消失した場合である。このことは、深いスリープ状態、すなわち外部クロックがない場合が、多くの場合、上記浅いスリープ状態の持続時間より長いことを知っている場合、実際によく起こることである。
【００２１】
現在まで、標準は、この場合、特に、接触インタフェースに接続している端末が、非接触アプリケーションに必要なクロックの供給を停止するように要求してきた。オブジェクトの数が多い場合には、インタフェースのチップから独立してチップが供給する内部クロックを使用するのがさらに不可能になる。
それ故、いくつかのオブジェクトの場合には、チップは、内部クロックを使用するために外部基準を必要とする。この外部基準は、現時点では使用することができない。
それ故、この接触インタフェースに適用される標準が要求する限度を超えて、接触インタフェースからの任意のリソース（電力および／またはクロック）を消費しないで、非接触アプリケーションが、機能することができるように、または少なくともそれ自身を正しく終了することができるようにすることが望ましい。
【００２２】
遭遇するもう１つの問題は、２つ以上のインタフェース（接触インタフェース、非接触インタフェース、ＵＳＢ等）を処理していて、これらインタフェースのうちの少なくとも２つの同時使用を意図するオブジェクトに関連する。
この問題は、オブジェクト内で実行されるアプリケーションは、どのインタフェースが能動状態にあるのか、またそのインタフェースがどんな状態にあるのか（すなわち、どれだけ多くのおよびどのインタフェースが電力および／またはクロックを供給しているのか）を判断することができないという事実に関連する。
【００２３】
それ故、オブジェクト内の搭載アプリケーションは、現時点では、インタフェースの状態の関数として必要な決定を行うことができない。
そのため、このアプリケーションは、正しく機能することができない（例えば、まだその時がきていないのに作動を停止したインタフェース上でスタートしたトランザクションをキャンセルすることができない）。これが分離イベントの場合である。
【００２４】
例えば、この時点においては、複数のインタフェースを備えるオブジェクトにおいて、オブジェクト内の搭載アプリケーションを中断しないで引き続き実行いている場合に、そのインタフェースを作動させたり、作動を中止させたりすることができる。
１つまたは複数のインタフェースを作動停止しても、その結果、オブジェクトが動作を停止したことを意味しない。実際には、オブジェクトは、すべてのインタフェースが作動を中止した場合にだけ動作を中止する。
本発明の目的は、特にこれらの欠点を補償することである。
【００２５】
本発明の１つの目的は、すべての状況において、また（この場合には、「完全同時使用」と呼ばれる）共生のために役に立つすべての遷移に従って、非接触インタフェースと同時に接触インタフェースを機能させ、接触アプリケーションと非接触アプリケーションとの間でデータを交換することである。
【００２６】
本発明は、また、少なくとも２つのインタフェース、特に、少なくとも２つの接触インタフェース、または２つの非接触インタフェースまたはこれら２つの組合せ、例えば、ＩＳＯ７８１６のバージョンのうちの１つによるインタフェース、ＭＭＣ（マルチメディア・カード）、ＮＦＣまたはＵＳＢタイプのオブジェクト用のインタフェースを備えるインテリジェント・オブジェクトに適用される。
それ故、本発明の目的について以下に説明する。
【発明の開示】
【発明が解決しようとする課題】
【００２７】
１つの目的は、プロセッサ・ブロックおよび少なくとも２つの通信および／または供給接触および／または非接触インタフェースを備えるポータブル・オブジェクトのリソースの変動に対する耐性方法に関する。上記方法は、インタフェースのうちの１つのインタフェース上の少なくとも１つのリソースの利用度の状態の少なくとも１つの制御ステップと、リソースを選択するステップとを含む。
【課題を解決するための手段】
【００２８】
上記方法は、上記方法が、１つまたは複数のリソースの利用度の変動中に、プロセッサ・ブロックに対して中断信号が発生するという点、およびプロセッサが、リソースの選択ができるように中断信号を処理するという点で区別することができる。
他の設計によれば、
中断信号は、少なくとも１つのリソースの利用度の状態の遷移に従って、リソース制御装置により発生する。
【００２９】
中断信号は、下記の遷移に対して発生する：
・低消費状態から非接触インタフェースを介しての供給への遷移：このインタフェースを介しての電圧がしきい値電圧よりも高い場合に中断が起こる；
・非接触インタフェースを介しての供給からこの供給の中止への遷移：非接触インタフェースが受け取った電圧がしきい値電圧より低い場合に中断が起こる；
・非接触インタフェースを介しての供給から接触インタフェースを介しての供給への遷移；および
・接触インタフェースを介しての供給により、接触インタフェースが命令した遷移またはリセット・シーケンス；
・非接触インタフェースを介しての供給からこの供給の中止への遷移中：非接触インタフェースが受け取った電圧が、しきい値電圧よりも低い場合に中断が起こる；覚醒中、チップはスリープ状態になる；
【００３０】
・限界しきい値電圧の値は、チップの供給の完全な中止にリスクなしで移行することができるように予め決定される；例えば、このしきい値電圧の値は、チップの最低動作電圧よりも若干高い；
・この方法は、電力リソースおよび／またはクロック・リソースの完全な同時管理のための即時警告の少なくとも１つのステップを含む；
・即時警告ステップは、リソースの少なくとも一部が非接触インタフェースを介して分岐するように、リソースの変化のある段階に対して準備する；
・即時警告ステップは、リソースの少なくとも一部が接触インタフェースを介して分岐するように、リソースの変化のある段階に対して準備する；
・この方法は、リソースの変化中に、チップ・カードを再初期化するための遷移中、接触インタフェースが命令したリセットの遅延および／またはシミュレーションの少なくともある段階で、トランザクション維持の少なくとも１つのステップに対して準備する；
・選択したコードからの命令の実行が行われる遅延段階は、例えば、リセットの作動への応答の１つの通常のコマンド・バイトを送信することにより、遅延コマンドを生成する；
【００３１】
・機能の再開を含む遅延コマンドは、例えば、約４００〜４０，０００クロック・サイクルのような予め定めた数のクロック・サイクルの後で発生する；
・この方法は、チップがスリープ状態中に低消費制限に適合するように、スリープ制御装置を構成する少なくとも１つの論理的段階のために準備する；
・スリープ制御装置を構成するこの論理的段階は、接触インタフェースからの下記のものに対して準備する：浅いスリープ状態の場合、２００μＡ以下を分岐することができ；深いスリープ状態の場合には、１００μＡ以下を分岐することができる；
・非接触標準は、非接触インタフェースに関する標準ＩＳＯ．ＩＥＣ１４４４３である；
・接触標準は、接触インタフェースに関する標準ＩＳＯ．７８１６である；
【００３２】
他の態様によれば、本発明は、プロセッサ・ブロック、少なくとも２つの接触通信および／または非接触通信、および／または供給インタフェースを備えるポータブル・オブジェクトのリソースの変動への耐性デバイスである。この場合上記デバイスは、インタフェースのうちの１つのインタフェース上の少なくとも１つのリソースの利用度の状態、および１つまたは複数のリソースの選択の制御手段を少なくとも含む。
このデバイスは、デバイスが、１つまたは複数のリソースの利用度の変動中に、プロセッサ・ブロックへの中断信号を発生することができることと、リソースの選択ができるようにするために、プロセッサが中断を処理することができることで区別される。
【００３３】
他の設計によれば、
・デバイスは、非接触インタフェースから消費する電力を制限するためのダイオード、および（接触インタフェースを介してまたは非接触インタフェースを介して）２つの電力消費モード間で確実に切替を行う論理ゲートからなる耐性手段を備える。
・耐性手段は、接触インタフェースからのまた非接触インタフェースからの供給リソースの存在を検出することができる少なくとも１つの配線機構を備える。この場合、この機構は、これらのレジスタの任意の修正が、例えば中断の形をしている警報信号により表示されるように、その助けを借りて耐性手段が供給リソースの状態についての情報を提供する少なくとも２つのレジスタと、耐性手段がレジスタをチェックした後で、使用する電力源を選択するように、機構をプロセッサ・ブロックに接続している配線とを備える。
【００３４】
・耐性手段は、選択したソースのチップへの電力の供給を保証するチップ内に位置する配線機構を備える。
・耐性手段は、リソースの出現および／または消失を検出する供給制御装置を形成している少なくとも１つの機能ブロックを備える。
・耐性手段は、完全同時管理電力および／またはクロックおよび／または時間遅延リソースの手段を備える。
・デバイスは、電力リソースおよび／またはクロック・リソースの完全同時管理のための即時警告手段を備える。
・即時警告手段は、リソースの少なくとも一部が、非接触インタフェースを介して送られるように、リソースの変化を許容する少なくとも１つの機能ブロックのために準備する。
・即時警告手段は、リソースの少なくとも一部が、接触インタフェースを介して送られるように、リソースの変化を許容する少なくとも１つの機能ブロックのために準備する。
【００３５】
・このデバイスは、リソースの変化中チップを再初期化するための遷移中、接触インタフェースにより命じられた、リセットの遅延および／またはシミュレーションのための少なくとも１つの要素を含むトランザクションを維持するための手段を備える。
・このデバイスは、供給源の変動に対する耐性手段を備える。
・これらの耐性手段は、チップの供給源、接触インタフェース（７）および／またはアンテナ（４）および／または例えば電力源機能を介しての供給源の組合せを選択する。
・このデバイスは、電力リソースの状況に従って供給制御装置を形成している少なくとも１つの機能ブロックのために準備する。
・この機能ブロックは、チップに適当な電圧および電力を供給するための、このチップに接触インタフェースおよび／または非接触インタフェースからの供給リソースの出現および／または消失を知らせるための配線または類似のものを備える。
・このデバイスは、チップを、スリープ状態中、低消費の制限に適合するためのスリープ制御装置を形成している機能ブロックを備える。
スリープ制御装置を形成しているこの機能ブロックは、浅いスリープ状態にある接触インタフェースからの供給を２００μＡ以下に、深いスリープ状態の場合には１００μＡ以下にする。
【００３６】
他の態様から見た場合、本発明は、デュアル・インタフェースを備え、オブジェクトがこの端末をセキュア状態にすることができるインタフェース接触を含むインテリジェント・ポータブル・オブジェクトへのガルバニック接触による少なくとも１つの接続を備える送信端末である。
このオブジェクトは、チップを備えていて、標準ＩＳＯ７８１６．３により接触インタフェースを介して端末と通信することができる。オブジェクトは、さらに、非接触をベースとする他の標準により通信する非接触インタフェースを備える。
【００３７】
この端末は、方法の実施への参加および／または上記デバイスを備えるオブジェクトの受信に適している。
端末は、携帯電話（例えば、ＧＳＭ、３ＧＰＰ、ＵＭＴＳ、ＣＤＭＡ等）および／または携帯情報端末（例えば、ＰＤＡ）および／または復号ボックスおよび／またはコンピュータを形成する。
【００３８】
他の態様によれば、本発明は、方法の実施への参加および／または上記デバイスを備えていておよび／または上記端末に接続しているオブジェクトの受信に適しているインテリジェント・ポータブル・オブジェクトに関する。
このオブジェクトは、デュアル・インタフェースを有し、チップを備える。このオブジェクトは、標準ＩＳＯ７８１６．３により接触インタフェースを介して、および同様に、接触なしで、他の非接触標準により非接触インタフェースを介して、少なくとも１つの電子データ送信端末と通信するのに適している。この方法は、端末が接触インタフェースを介してオブジェクトによりセキュア状態になる事態に対して準備をする。
【００３９】
設計によれば、
オブジェクトは、接触インタフェースまたは非接触インタフェースからのエネルギー・リソースの代替手段を形成している太陽センサまたはアキュムレータのようなオブジェクトの搭載電源を備える；
・オブジェクトは、接触インタフェースまたは非接触インタフェースからのエネルギー・リソースだけを備えていて、そのため搭載エネルギー源を備えていない。
本発明の例示としての実施形態について以下に説明し、図面を参照する。
【発明を実施するための最良の形態】
【００４０】
最初に、関連する構造およびインタフェースについて説明する。
図面中、参照番号１はインテリジェント・ポータブル・オブジェクトを示す。
このようなオブジェクト１は、例えば、チップ・カード、電子チケット、いわゆる「ドングル」プラグ、または近接通信（例えば、ＮＦＣ）または準近接通信（例えば、ＢｌｕｅＴｏｏｔｈ）のモジュールのような他のモジュールを含む。
【００４１】
これらのオブジェクトは、取り外すことができないし、「ポータブル」であるセキュア・オブジェクトを含む。すなわち、電子データ送信端末２より小型であるためにポケットに入れるのに適している。図２〜図５は、このようなオブジェクトのいくつかの例を示す。
これらのオブジェクト１は、１つまたは複数の電子データ送信端末２を含む遠隔通信および／または非接触インタフェース３を介しての他のオブジェクト１に適している。
【００４２】
インタフェース３は、アンテナ４を介しての非接触通信を保証する。
例えば、携帯電話のようなこれらの端末２のうちのあるものは、「ポータブル」である。すなわち、容易に持ち運ぶのに適している。
しかし、ここでは本当の「ポータブル」とは見なさない。
【００４３】
オブジェクト１の例示としての実施形態によれば、その非接触インタフェース３は、少なくとも一部が、オブジェクト１のモジュールに内蔵され、および／またはオブジェクト１の本体５に内蔵され、および／または保護すべき端末２に内蔵されていて、ガルバニック・リンクにより接続しているアンテナ４を備える。
【００４４】
図１〜図３の場合には、オブジェクト１は、共通の形のチップ・カードを有する。
このオブジェクト１は、この場合、その内部または表面上に、おそらくモジュール内にチップ６（図１）が設置されるカード本体５、チップ６に接続している非接触インタフェース３のアンテナ４を備える。
ガルバニック接触インタフェース７も、チップ６に接続している。ガルバニック接触インタフェースは、本体５の主外面上の端末ボードを備える。
【００４５】
図１の場合には、本体５は、実際のオブジェクト１が取り外すことができるように内蔵されている標準ＩＳＯ７８１６が定義する外部形状係数を有する。
本体５の周囲を除去すると、実際のオブジェクト１は、標準３ＧＰＰＴＳ１１．１１（４１１および４１２）またはＧＳＭが定義し、および「ＳＩＭ」と呼ばれる外部形状係数を示す。
インタフェース７の端子板もこれらの標準により定義される。端子板は、この場合、６〜８の接触領域Ｃ１、Ｃ２、Ｃ３、Ｃ５、Ｃ６およびＣ７（図２）を含む。
【００４６】
そうしたい場合には、この端子板も領域Ｃ４およびＣ８を有することができる。しかし、例えば、標準３ＧＰＰＴＳ１１．１１（４３１）によれば、接触領域Ｃ４およびＣ８は、「ＧＳＭ」と呼ばれる従来の携帯電話端末２の機能の際には使用されない。
これらのエリアＣ４およびＣ８は、標準によれば、それぞれチップ６のポートに接続している。
これら例の場合、非接触インタフェース３は、セキュア状態にされる端末２に内蔵されていて、接触インタフェース７のエリアＣ４およびＣ８が供給するガルバニック・リンクを介して接続しているアンテナ４を備える。
【００４７】
図３の場合には、アンテナ４は、図３を見れば分かるように、オブジェクト１の外部に位置する。
特に接触領域Ｃ２およびＣ７を通過するデータ信号は、２進形式のいわゆる「デジタル」信号であることに留意されたい。
一方、特にエリアＣ４およびＣ８を通過する、またはチップ６に直接送信されるデータ信号は、アンテナ４からの被変調信号（例えば、ヘルツ）である。
【００４８】
ここで端末２について説明する。
これらの端末２は、例えば、特にネットワーク内の、（図３の）携帯電話（例えば、ＧＳＭ、３ＧＰＰ、ＵＭＴＳ、ＣＤＭＡ等）、携帯情報端末（例えば、図２のＰＤＡ）、復号ボックスおよびコンピュータ、または実際の会話型端末またはアクセス制御装置（輸送機関、インフラストラクチャ、データ処理装置等）である。これらの端末は、分解することができ、好適にはポータブルの、すなわち例えばユーザ８が容易に持ち運ぶことができる電子デバイスを含む。
【００４９】
本発明によるすべての端末２、すなわち、すでに説明したようにオブジェクト１により接触インタフェース７を介して保護されている端末は、例えば、図３の右側に示す他の端末２と遠隔通信することができる。ここで遠隔というのは接触していないという意味である。
オブジェクト１によりセキュア状態になっているこれら端末２の非接触通信は、波形および参照番号９で示す。
【００５０】
矢印および参照番号１０で示すトランザクションまたはアプリケーションと呼ぶ他の通信は、接触を含まない、そのインタフェース３、すなわちアンテナ４を介してオブジェクト１が通信することができる通信である。
アプリケーションとも呼ばれる通信９は、オブジェクト１がそのインタフェース３、すなわちアンテナ４を介して通信することができる通信から区別しなければならない。
【００５１】
ここで、例えば、本発明によるオブジェクト１を備える携帯電話端末２のこれら通信９および１０の内容について説明する。
例えば、通信９を使用すれば、端末２から、および頂部左の端末２が示すセル受信端末板に接続している、図２の底部左に示すもののようなサービス・サーバから安心して購入をすることができる。この購入は、オブジェクト１内に値の形で記録される。
このようにして、アンテナ４を介して、通信１０は、以降、値を一括して借り方に記入することができる。
【００５２】
図６（技術の現在のレベル）および図７（本発明）を参照しながら、以下に  これらオブジェクト１および端末２の機能について説明する。
これは、本発明が、接触インタフェース７、すなわちガルバニック・インタフェースまたはオーム・インタフェースの他に、非接触インタフェース３のインテリジェント・ポータブル・オブジェクト１内で、同時およびセキュア機能を可能にする方法を説明するためのものである。
アプリケーション１０のセキュア機能の場合も同様に、そのデータは、非接触インタフェース３を介して、異なるアプリケーション９に同時に送られ、そのデータは接触インタフェース７を介して送られる。
【００５３】
これらのインタフェース３および７は、オブジェクト１内の同じチップ６に接続していて、非接触インタフェース１０および接触インタフェース９を通るアプリケーションは、この同じチップ６上で処理される。
上記いくつかの定義は、図６および図７の理解を容易にするためのものである。
オブジェクト１が内蔵するチップ６の場合には、このチップ６は、インタフェース３および７を管理し、また同様に、「接触インタフェース」９および「非接触インタフェース」１０を簡単にするために、上記アプリケーションのデータを処理する。
【００５４】
集積基板内のこのチップ６の構造を、下記の簡単な機能ブロックに分割することができる。
・特に、「ＲＡＭ」（図８に参照番号１２２で示す）と呼ばれる揮発性メモリ、「ＲＯＭ」（図８に参照番号１２１で示す）と呼ばれる不揮発性メモリ、および再書込み可能な「ＥＥＰＲＯＭ」（図８に参照番号１２３で示す）を含むメモリ・ブロック（図８に参照番号１２０で示す）；
・通信ブロック（図８に参照番号１０２および１０９で示す）。図８の場合には、場合によっては、「Ｉ／Ｏ」で示す入出力ブロックとも呼ばれるデータ転送バスが１２４、ブロック１２０と１０２および１０９を含む他のブロックとを接続していることに留意されたい。
・「ＣＰＵ」（図８に参照番号１０８で示す）と呼ばれるプロセッサ・ブロック。このプロセッサ・ブロック１０８は、個々の場合により、オペレーティング、アプリケーション・システム等の形を使用するデータ処理を使用する。
【００５５】
・例えば、コプロセッサ、時間遅延（図８に参照番号１２６で示す）のような特種処理ブロック等。
またこの点に関して、図８を参照し、以下に説明する。
チップ６への命令または入出力の値により、値は下記のものを含む種々の状態に変換される。
・何らデータ処理または電力消費を行わないで、オブジェクト１が機能していない（すなわち、「作動停止、停止している」）、図１１に示す「オフ」と呼ばれる作動停止状態。
・アプリケーションの処理の他に（接触９および非接触１０による）、インタフェース３および７が動作（１２〜１８）し、その管理をすることができる「オン」と呼ばれる動作状態。
【００５６】
以下に説明するスリープ状態へのアクセスを実際に解決する、「アイドル」状態と呼ばれる覚醒の遷移状態についてはここでは詳細に説明しない。
下記の表は、以下に説明するその可能な状態の他に、リソース「ＶＣＣ」および「ＲＦ」を含む。
その前に、「ＶＣＣ」と呼ばれるリソースは、接触インタフェース７からのオブジェクト１の電源であることに留意されたい。
対照的に、オブジェクト１の電力供給が非接触インタフェース３からのものである場合には、リソースは「ＶＤＤ」と呼ばれる（リソース「ＲＦ」からのものである）。
【００５７】
最初に、リソース「Ｖｃｃ」の場合、状態「停止／作動」は、それぞれ接触インタフェース７が電力の供給を受けているかいないかを示す。その能動状態の場合には、接触インタフェース７は、オブジェクト１への電力の供給を保証する。
その停止状態の場合、この接触インタフェース７は、電力の供給を全然保証しない。
その「能動」状態（通常「ＶＣＣオン」と呼ばれる）の場合、接触インタフェース７は、少なくともチップ６に電流を供給する。このチップ６は、オブジェクト１の通常の機能のために通常十分な指定された制限内で電力を消費することができる。
これは、端末２が、データの交換のために接触インタフェース７に要求するアプリケーション９を入手し、リソースがオブジェクト１により処理された場合である。
【００５８】
インタフェース７からのこの「ＶＣＣ」の供給は、さらに、以下に説明するように、「低消費」と呼ばれる状態にすることができる。
図面中、状態（１３、１４、１７、１８）は、その接触インタフェース７を介してオブジェクト１が分岐した消費の最大値を課する「低消費」と呼ばれる。現在の低消費状態は、下記の状態に区別される。
・浅いスリープ（「低電力ＶＣＣ」と呼ばれる）；および
・深いスリープ（「ポーズＣを含む低電力ＶＣＣ」と呼ばれる）。ＮＢ：クロックに対する「Ｃ」。
【００５９】
特に標準３ＧＰＰＴＳ１１．１１によれば、２つの制限的ケースにより、そのリソースを接触インタフェース７から受けている場合、電力消費が課せられる。
・深いスリープ状態の場合、１００μＡ（最大）以下の電流を、接触インタフェース７から分岐することができる。
・浅いスリープ状態の場合、２００μＡ（最大）以下の電流を接触インタフェース７から分岐することができる。
【００６０】
現在のチップ６の場合、低消費の制限は、処理の中止により、およびこの処理の以降の再開のために必要なデータのバックアップにより、スリープ状態に移行中に強制的に課せられる。
これらの必要データは、特に前のコンテンツ（例えば、データ、レジスタ）である。
このスリープ状態の場合、現時点においては、チップ６は非接触アプリケーションを処理することはできない。
【００６１】
逆に、本発明の目的のうちの１つは、チップ６がスリープ状態になると（その「ＣＰＵ」ブロックのような論理的および／またはケーブル付き手段による実行により）、インタフェース７上の指定の消費制限を遵守しながら、非接触インタフェース３から特にチップの電力の供給を受ける動作状態になることができる。
さらに、このチップ６が浅いスリープ状態に類似の状態にあるが、接触インタフェース７からのクロック・リソースを何も有さない場合には、チップ６は、クロック・ポーズ状態（「ＰａｕｓｅＣ」と呼ばれる）で深いスリープ状態にあるといわれる。
【００６２】
第二に、リソース「ＲＦ」は、標準ＩＳＯ１４４４３の例の場合には、無線周波数（ＲＦ）タイプである非接触インタフェース３の状態（「停止／能動」）を示す。
その能動状態の場合には、非接触インタフェース３は、非接触トランザクション、すなわち下記のような遠隔トランザクションを保証する。
・送信および／または
・被変調信号（データ、リソース）の受信および
・特にこれら信号のデータによるアプリケーションの処理
停止状態の場合には、この非接触インタフェース３は、いかなるトランザクションも保証しない。
【００６３】
第三に、状態「スリープ」は、それぞれ、チップ６が接触インタフェース７上において低消費状態にない場合またはある場合を（「いいえ／はい」）で示す。
第四に、状態「ＰａｕｓｅＣ」は、それぞれ、チップ６が低消費状態中、接触インタフェース７から外部クロック記号の供給を受けていないのかいるのかを（「いいえ／はい」）で示す。
【００６４】
【表１】
2007520794.tif 000003
【００６５】
【表２】
2007520794.tif 000004
上記表１および２は、それぞれ、現在のオブジェクト１（１Ａおよび１Ｂ）の場合の、これら状態または遷移の際に遭遇する状況を示す。
【００６６】
図６のこれらの表を比較することにより、図６のように、（「ＯＫ」で示す）可能な状態および遷移の他に、下記のものがあることに気付く。
・２つの不可能な状態（１７；１８）（「ＮＯＫ」で示す）；および
・１２の不可能な遷移（１５．１６；１６．１５；１７．１８；１８．１７；１４．１８；１８．１４；１６．１７；１７．１６；１３．１７；１７．１３；１７．１５；１８．１５）（「ＮＯＫ」）
【００６７】
周知の技術のこれら定義および説明を説明してきたが、ここで図６および図７に戻って説明する。
これらの図６および図７の場合には、同じ素子には同じ参照番号が付いていて、説明を簡単にするために１回しか説明しない。図６および図７のグラフの左側の欄は、接触インタフェース７の機能に関連する状態を示し、一方、右側の欄は、非接触インタフェース３の機能に関連する状態を示す。
ここで、デフォルトの場合、逆の遷移に言及していない場合には、逆の遷移は単に戻りのルートであり、それ故追加の説明を何ら必要としないことに留意されたい。
さらに、図６の場合には、（５つの）不可能な遷移は、星印のついた境界で示してあり、一方、（２つの）達成不可能な状態は、陰付きのボックスで示してあることに留意されたい。
【００６８】
状態１１とは別に、中央の欄（状態１６、１７および１８）は、本発明により完全に同時に使用するオブジェクト１のために必要な状態を示す。
状態はボックスで示してあり、これら状態間の可能なまたは不可能な遷移は、ある方向を向いている矢印で示してある。
作動停止状態１１は、携帯電話端末２の場合には、それによりこの端末２がオフになり、ユーザ８が使用できない状態に対応する。
作動停止状態１１からスタートして、図６および図７の遷移１１．１２が、オブジェクト１が接触インタフェース７（接触インタフェースを介しての動作状態と呼ばれる）を介して動作している状態１２を達成することができる。この状態１２は、「接触インタフェースを介しての動作中」と呼ばれる。
【００６９】
携帯電話端末２のこの例の場合には、この通常の遷移１１．１２は、自身の端末２をオンにするユーザ８の行動に対応する。
ここで、端末２は、インタフェース７の端末板を介してオブジェクト１にリセット信号を送る。リセット（「ＡＴＲ」と呼ばれる）への応答プロトコルの第１のバイトは、以降オブジェクト１によりインタフェース７を介して端末２に送られる。
これらの交換が成功した場合には、オブジェクト１は、インタフェース７およびオブジェクト１によりセキュア状態になっている端末２からの注文を直接処理することができる。
【００７０】
接触インタフェース１２を介して動作している状態からスタートして、遷移１２．１３は、状態１３または待機状態を低消費状態にすることができる。
このことは、オブジェクト１が接触インタフェース７からのプロンプトを待機している、すでに説明した浅いスリープ状態１３にあることを意味する。
通常、オブジェクト１が処理動作を終了した場合（エネルギー節約モード）に、待機状態１３が確立される。この状態１３は、インタフェース７を介してオブジェクト１により低エネルギー消費になることを思い出されたい。
【００７１】
状態１３からスタートして、遷移１３．１４（図６および図７）は、すでに説明したクロック・ポーズにより深いスリープ状態１４になることができる。この状態１４の場合、オブジェクト１は、接触インタフェース７からのプロンプトを待機する。通常、端末２は、２つのコマンドの間でクロック・チョップ（ＣＬＫ）をスタートする。例えば、状態１４へのクロック・チョップは、コマンドの後「ｎ」クロック・サイクル（例えば、約１８００〜２０００サイクル）の後で課せられる。
【００７２】
ここで、図６および図７の右欄および非接触インタフェース３にリンクしている状態および遷移に戻って説明する。
状態１１から、遷移１１．１５は、アンテナ４が、非接触被変調信号（例えば、ＲＦ）の磁界に露出した場合に対応する。この信号は、テンプレートの形をしているデータの他に、リソース（エネルギーおよびクロック）のキャリアである。
これはアンテナ４が、非接触被変調磁界（エネルギーおよびデータ）に露出した場合であるが、オブジェクト１は、接触インタフェース７からのリソースを何ら有していない。
【００７３】
この遷移１１．１５は、インタフェース３を介して非接触動作１５の状態になる。この場合、オブジェクト１は、インタフェース３からのコマンドを直接処理することができる。
ここで、一方では、オブジェクト１において、各状態間で作動停止状態１１からスタートする遷移の選択は排他的なものであることに留意されたい。
・接触インタフェースを介しての動作中（１２）；および
・非接触インタフェースを介しての動作中（１５）。
【００７４】
一方、非接触動作状態１５の場合には、接触インタフェースを介しての動作状態１２とは異なり、上記標準内には最大エネルギー消費についての制約はない。
状態１６は、デュアル・インタフェース動作と呼ばれる。図６および図７の場合、この状態１６は、接触インタフェース７が動作中であり、同様に他の非接触インタフェース３も動作中である状況に対応する。
この状態１６は、現時点において、可能な唯一の二重動作状態である。すなわち、この場合、接触インタフェース７および非接触インタフェース３は同時に動作する。
【００７５】
現在使用することができるオブジェクト１においては、遷移１２．１６および１６．１２だけが可能である（ＯＫ）。逆に、状態１５からおよび新しい状態１７から状態１６への遷移はできない（ＮＯＫ）。
これらの遷移１２．１６および１６．１２の場合には、それぞれこれらインタフェースを要求しているアプリケーション９および１０の他に、接触インタフェースおよび非接触インタフェース（７および３）を相互に並んで位置させる必要がある。
【００７６】
特に上記不可能な遷移のために、現在のインタフェースおよびアプリケーションにより、完全同時使用をすることはできない。
遷移１２．１６は、依然としてセル端末２の例の場合、接触インタフェース７が、動作する場合（リソースおよびアプリケーション９）に対応し、一方、アンテナ４は非接触インタフェース３が検出した磁界に触れる（トランザクション１０）。
【００７７】
ここで、現在不可能な遷移１６．１６について説明する。
「ホット・リセット」と呼ばれるこの遷移１６．１６中に遭遇する問題は、接触インタフェース７から受信したリセット信号により現在起こっている効果とは異なり、チップ６を本当に再初期化できないことである。
ここで、「ホット」および「コールド」という用語は、特に標準ＩＳＯ７８１６．３内に定義されていることに留意されたい。
【００７８】
その目的は、非接触インタフェースを介して進行中のトランザクションを、引き続き支障なく確実に進行させることである。
そのため、本発明は、接触インタフェース７が動作に入る際に、進行中の非接触トランザクションを維持するための手段１０１および／またはステップを提案する。
これらの手段は、チップ６内の回路および／または論理命令を含む。
【００７９】
状態１６の場合、本発明は、チップ６が消費するリソースのソースに従って種々の異なる場合を区別する。
現在、状態１６の場合には、このチップ６は、タイミングが悪いリセットを起こさないで、必要なリソースのうちのあるもの、特に電力供給およびクロックを全く修正することができない。
【００８０】
本発明の場合、状況により、
・チップ６の電力供給を下記のものから受けることができる。
・ＶＣＣ、すなわち接触インタフェース７から；
・アンテナ４；
・ソースの組合せ、特に上記の組合せ、例えば、機能Ｆ［（ＶＣＣおよび／またはＶＤＤ）］
・チップ６に供給するクロックは、下記からのものであってもよい。
・接触インタフェース７；
・アンテナ４；
・図８に示すもの、参照番号１１３で示すもの、および以下に詳細に説明するもののような内部クロック発振器。
それ故、本発明を使用すれば、状態１６中に、すなわちアプリケーションの同時処理中に、その時点の必要に応じて、およびタイミングが悪いリセットの危険が全然ない状態で、電力供給および／またはクロックのソースを変更することができる。
【００８１】
本発明のある実施形態の場合には、遷移（および／または名祖状態）を維持するための手段１０１および／またはステップも、「偽のリセット」と呼ばれる。
これらの手段１０１および／または維持ステップ（１０１）は、特に、その始動または類似のリセット状況中に、接触インタフェース７から命令されたリセットの遅延および／またはシミュレーションの少なくとも１つの物理素子および／または論理的段階に対して準備する。
【００８２】
これらの手段１０１および／または維持ステップは、中断を検出し、中断処理を生成することができる配線の形をしている図８の例の少なくとも１つの素子および／またはリセット検出段階を含む。
この図８の場合には、維持手段１０１は、入力のところで、機能ブロック１０７および／または当該検出を行う等価の論理的段階に接続している。このブロック１０７については、以下にさらに詳細に説明する。
【００８３】
ある実施形態の場合には、論理的維持段階は、また、リセット検出を行う。この論理的段階は、中断処理ルーチンを含む。
チップ６の最初の電力供給の際に、ソース（インタフェース３または７）が何であれ、リセットを行うことができなければならないことに留意されたい。このタイプのリセットは、チップ６の実際の始動を含み、手段１０１および／または維持ステップにより行うことができない。
図８のこのタイプの維持手段１０１は、場合により実際には「中断制御装置ブロック」と呼ばれる場合がある。
【００８４】
ある実施形態の場合には、手段（１０１）および／または維持ステップのリセット命令の少なくとも１つの素子および／または遅延段階は、選択したコードを含むメモリ・アドレス・ゾーンを含む。
このメモリ・ゾーンは、選択したコードからの命令を受信し、その命令を実行すると、実施形態により、例えば手段１０１のリソースの助けを借りて、下記に対するコマンドを生成する。
【００８５】
・例えば、リセットを作動するための１つの通常の応答コマンド・バイト（「ＡＴＲ」）を送信することによる、接触インタフェース７を介しての時間的遅延の阻止、および／または
・非接触インタフェース３へのアプリケーションの依頼の継続、および／または
・この非接触アプリケーションのために有用なデータを削除しないメモリ内での維持、および／または
・接触インタフェース７の能動状態の確認、および／または
・例えば、一連の応答コマンド・バイト（「ＡＴＲ」）の送信による、接触インタフェース７が必要とする機能の再開。
【００８６】
例えば、この再開は、例えば４００〜４００００クロック・サイクル程度の所定の数のクロック・サイクルの終わりに行われる。
現在のオブジェクト１の場合、非接触インタフェース３を介して動作中の状態１５からデュアル・インタフェース動作の状態１６へのリセット、遷移１５．１６はできない。
実際には、現時点においては、このような遷移１５．１６の後では、タイミングが悪いリセットを避けることはできない。
逆の遷移１６．１５についても同じことがいえる。
【００８７】
この遷移１５．１６も、本発明により行うことができる。
遷移１５．１６中、オブジェクト１は、最初、非接触インタフェース３のためにアプリケーションを処理中であり、オブジェクト１は、接触インタフェース７を介して端末２によりプロンプトされる。
これが、例えば、端末２が携帯電話（電話の会話をセキュア状態にする接触アプリケーション）を形成している場合であり、非接触アプリケーションが、アクセス−輸送機関、構内等を含んでいる場合である。
【００８８】
現時点においては、接触インタフェース７によりオブジェクト１がセキュア状態にするトランザクションをスタートすることはできない。一方、アクセス許可のようなアプリケーションは、非接触インタフェース３を介してすでに進行中である。
一般的に、今まで、非接触アプリケーションは突然打ち切られた。何故なら、接触インタフェース７を介して端末２のためにアプリケーションをスタートすると、その結果、チップ６がリセットされるからである。
【００８９】
非接触アプリケーションに対して有用なデータの喪失が多くの場合起こる。
このような遷移１５．１６のような場合、非接触インタフェース３のために、このアプリケーションがスタートしなければならない接触インタフェース７のための他のアプリケーションと一緒に処理され、本発明は、ある実施形態の場合、手段１０２および／または即時警告ステップのために準備する。
これらの手段１０２および／または警報ステップは、手段１０１および／または維持ステップを補足するかまたはその代わりをする。手段１０２および／または警報ステップは、それにより状態１６中、チップ６が正しく機能することを保証する。
【００９０】
さらに、遷移１６．１５によれば、オブジェクト１は、最初、他のアプリケーション用の非接触インタフェース３を介して同時に、また、あるアプリケーション用の接触インタフェース７を介してプロンプトされる。現時点においては、接触アプリケーションが停止していると、タイミングが悪いリセットが起こる。
セキュア状態のセル端末２の例の場合で、接触アプリケーションが現在停止している場合には、特に非接触アクセス・アプリケーションが進行中にこの端末２が停止した場合、アプリケーションは突然打ち切られる（リセットされ、データが喪失する）。
【００９１】
それ故、遷移１５．１６の問題だけが、手段１０２および／または警報ステップにより保証されている２つの同時アプリケーションの同時管理を行うことになる。
一方、接触インタフェース７のリソースの消失（１６．１５）は、タイミングが悪いリセットを行って、現在のアプリケーションに悪影響を与える。このような悪影響は手段１０１および／または維持ステップにより補償される。
【００９２】
本発明の目的のうちの１つはタイミングが悪いリセットを避けることであるので、それによる利点のいくつかの具体的な例を挙げる。
現在まで、デュアル・インタフェース動作中の状態１６は、遷移１２．１６を介して排他的に達成することができる。
状態１６に対して可能なこの唯一の遷移１２．１６、および（状態１２への）逆の遷移の場合、アプリケーション（逆の遷移の場合はそれぞれ１０および９）にメッセージを送信しなければならない。
不可能な遷移１５．１６は、セル端末２の例の場合には、それ故、トランザクション１０が非接触インタフェース３を介して進行中である場合には、端末２を動作させることができないことを意味する。
【００９３】
一例を挙げると、非接触インタフェース３を介して行った乗り物のチケットの購入がある。
この時点で、電話通信９を行うために、ユーザ８が自身の端末２を作動した場合、この場合には、非接触インタフェース３を介して進行中のトランザクション１０のデータが喪失する恐れがあり、またユーザ８が不便を蒙る恐れがある（交通手段へのアクセスが拒否されるか、遅延する）。
実際には、現在のオブジェクト１の場合、チップ６は、接触インタフェース７を介して「ＶＣＣ」供給の「能動」または「停止」状態へ遷移するや否やリセットを行う。
【００９４】
他の不可能な遷移１６．１５は、セル端末２の例の場合には、状態１２からデュアル・インタフェース動作の状態１６になり、この端末２の電源（バッテリー、アキュムレータ、充電装置、センサ等）がインタフェース３を介しての遷移１０中に中断する場合に対応する。
この場合も、非接触インタフェース３を介してのトランザクションは突然中断し、その場合、通常のリスク（データの喪失、不便等）が発生する。
【００９５】
遷移１５．１６および１６．１５の両方に対して本発明が提案する解決方法は、非接触インタフェース３を介して進行中のトランザクションのすべての突然の中断を起こさないことを理解することができるだろう。
遷移１５．１６の場合には、この中断の回避は、例えば、手段１０２および／または警報ステップを介して、この遷移に関する警報信号のこのトランザクションの管理を行っているオペレーティング・システム（＝アプリケーション９および／または１０）に送信することにより行われる。
【００９６】
このような通知を受けたオペレーティング・システムは、通信、データ等を保存しながら、この遷移１５．１６を行うことができる。
ケースバイケースで、この遷移１５．１６は、下記のことを行う。アプリケーション９または１０の「実際の」中断、これらアプリケーション９または１０の一時停止、これらアプリケーション９または１０間の前後への遅延等。
【００９７】
ある実施形態の場合には、警報手段１０２および／または警報ステップは、非接触アプリケーションが、重要なデータ（すなわち、以降の再開のために必要なデータ）のバックアップをすることができるようにする。このタイプのセーブ動作は、多くの場合、「バックアップ」と呼ばれる。
【００９８】
いくつかの例の場合には、遷移１５．１６を許可するために、本発明は、非接触トランザクション１０の一時停止のスタート、およびアプリケーション９に接触インタフェース７が能動状態にあることを知らせるためのアプリケーション９へのメッセージの発行の準備をする。その後で、アプリケーション９はこの接触インタフェース７からのデータを処理する。
すべてのタイミングが悪いリセットが禁止され、その後で２つのアプリケーション９および１０（接触に戻らないで最初の接触アプリケーションおよびトランザクション）間で可能になるや否や、リソース（特に処理）の共有の要求が送信される。
【００９９】
本発明による遷移１６．１５は、後者が非接触インタフェース３を介して分岐するように、（手段および／またはステップを介して）リソースの素子および／または偏差段階に対して準備する。
さらに、即時警告１０２の手段は、場合によっては図８の「ＵＡＲＴ」と呼ぶこともある機能ブロックの形をとる。
これらの手段１０２は、非接触インタフェース３に対するＩＳＯ１４４４３のような標準の他に、接触インタフェース７に対する標準ＩＳＯ７８１６に適合するシリアル通信周辺機器である。
【０１００】
手段１０２および／または論理的即時警告ステップ１０２から抜けだした場合、特に「バッファ」と呼ばれる受信バッファ・メモリが飽和したと見なされた場合、中断が起こる。
このことは、プロトコル・テンプレートが正しく受信され、チップ６のオペレーティング・システムにより処理できることを意味する。
このことは、特に、接触インタフェース７に依存するアプリケーションが、データの受信により悪影響を受けずにいくつかの処理動作を行うことができるようにする。これらの中断は、アプリケーションに処理のためにデータを使用することができることを示す。
【０１０１】
非接触テンプレートが到着した例の場合には、手段１０２および／または警報ステップは、下記のものを含む少なくとも１つの初期化素子／段階を備え／動作する。
・非接触ソースの検出
・その後の復調からのデータの検出
・衝突防止。
変復調装置（ＭＯＤＥＭ）においては、非接触ソースが２進形式に変換され、その後で初期化が行われ、例えば、衝突防止処理が行われ、また、
・テンプレートが正しく受信したと見なされ、先行ステップが正常に行われた場合には、通常の処理動作が許可される。
【０１０２】
図８の場合には、機能ブロック１０４が、変復調装置（ＭＯＤＥＭ）および衝突防止処理素子を一緒に含む。この例の場合には、ブロック１０４が接触領域Ｃ４およびＣ８を介して接続しているのが分かる。
ここで、図６および図７の未処理磁界の検出の状態１７について説明する。
この状態１７になることは、現在のオブジェクト１の場合には、（特に状態１３および１６からは）不可能である。
この状態１７は、多くの場合、浅いスリープの状態１３から本発明により達成される。浅いスリープ状態に近いこの状態１７の場合には、接触インタフェース７からの電力の供給は制限される。一方、同時に、オブジェクト１は、非接触インタフェース３からのリソースを必要とする。
【０１０３】
状態１７を説明するために、その非接触インタフェース３が、いわゆる非接触アプリケーションを処理することができる、オブジェクト１によりセキュア状態になっている携帯電話の形をしている端末２の例に戻ることにする。
その接触インタフェース７からのオブジェクト１の電力供給が制限されている場合に、アプリケーションが非接触インタフェース３のために動作すると状態１７になる。
この状態１７の場合には、接触アプリケーションは、進行中のトランザクションのコンテキスト内で端末２からのコマンドを待機する。
【０１０４】
すなわち、これは非接触インタフェース３を介してのアプリケーションの処理の問題であり、一方、オブジェクト１は、接触インタフェース７の側上に位置していて、浅いスリープ状態にある。この場合、接触インタフェース７を介してのオブジェクト１の電力供給は制約に違反し、特に規定の制約に違反する。
理想的な状況の場合には、本発明を使用すれば、状態１７の場合、このインタフェース７に適用される標準がそれを要求している場合には、非接触アプリケーションは、接触インタフェース７からのリソース（電力）を消費しないで機能することができる。
【０１０５】
本発明を使用すれば、オブジェクト１は、アンテナ４がピックアップした被変調信号を復調することにより、非接触インタフェース３からその電力供給を受ける。実際には、現在の標準は、インタフェース７からの電力の使用を禁じていて、そのため、場合によっては、端末２は下記のものを含む。
オブジェクト１が非接触インタフェース３から電力の供給を受けることができるようにするために、本発明のある実施形態は、供給源の変動に対する耐性ステップおよび／または手段１０３に対して準備する。
【０１０６】
図４は、セキュア状態にされる端末２に接続している、本発明によるオブジェクト１内の回路の一部を示す。供給源の変動に対する耐性手段１０３および／またはステップは、この実施形態によれば、下記のものを含むこの回路のこのような一部を備える。
・非接触インタフェース３から消費する電力を制限するためのダイオード２０、および
・（接触インタフェース７を介してまたは非接触インタフェース３を介しての）電力消費の２つのモード間で確実に切替を行うための論理ゲート２１。
それ故、手段１０３および／または耐性ステップのこの実施形態は、浅いスリープに匹敵する状態１７の場合に使用する外部リソース（電力）のオペレーティング・システムを選択することができる。
【０１０７】
通常、本発明による手段１０３および／または耐性ステップは、下記のものの中からチップ６の供給ソースを選択する。
・ＶＣＣ、すなわち接触インタフェース７のＶＣＣ；
・アンテナ４；
・例えば、関数Ｆ［（ＶＣＣおよび／またはＶＤＤ）］のようなソース、特に上記ソースの組合せ
【０１０８】
他の実施形態の場合には、耐性手段１０３は、接触インタフェース７からの電力供給（Ｖｃｃ）および非接触インタフェース３からの電力供給（Ｖｄｄ）の存在を検出することができる配線機構（以下の説明においてはＭ１と呼ぶ−図８参照）を備える。
この機構（Ｍ１）を使用することにより、電源（ＶｃｃおよびＶｄｄ）の状態（表１Ａおよび１Ｂ：能動／停止参照）は、２つのレジスタ（以下の説明においては、Ｒ１およびＲ２と呼ぶ−図８参照）の助けにより表示される。
レジスタＲ１および／またはＲ２の任意の修正（すなわち、ＶｃｃまたはＶｄｄと呼ばれる電源の一方および／または他方の出現または消失）は、（例えば、中断という形の）警戒信号により表示される。
【０１０９】
チップ６のオペレーティング・システムは、レジスタＲ１およびＲ２をチェックした後で、またはこれら２つのレジスタのうちの一方の状態の変化（中断）について警告を受けた後で、使用する電源（ＶｃｃまたはＶｄｄ）を選択する。
もう１つの配線機構（以下の説明においては、Ｍ２と呼ぶ−図８参照）は、チップ６内に位置する。この配線機構（Ｍ２）は、選択した唯一のソースが、チップ６への電源として使用されることを保証する。
【０１１０】
その場合、例えば、遷移１３．１７の場合には、例えば、下記のようになる。
・その接触インタフェース７の側上でチップ６が浅いスリープ状態（１３）にあった場合、非接触インタフェース３が作動する。
・磁界を検出した手段１０３（機構Ｍ１）または非接触テンプレート（ＲＦ）は、レジスタ（Ｒ１およびＲ２）を中断および更新することにより、チップ６に警告する。
・手段１０３および／または等価の論理ステップが発行した中断により警告を受けたオペレーティング・システムは、（Ｍ２により）非接触インタフェース３にチップ６の電源を切り替え、それにより接触インタフェース７の側の許容できる消費を保証する。
・その後で、チップ６が接触インタフェース７の側上で浅いスリープ・モード状態のままでいる間に、非接触インタフェース３（ＲＦ）を介してのトランザクションの処理を行うことができる。
【０１１１】
ここで図８の耐性手段１０３のもう１つの実施形態について説明する。
この場合、手段１０３は、この場合、電源制御装置または「ＰＷＲ」と呼ぶ機能ブロック１０７および／または論理的段階、およびもう１つの機能ブロック１０６および／またはスリープ制御装置を形成している等価の論理的段階を備える。
レジスタＲ１およびＲ２の他に機構Ｍ１およびＭ２、および／または等価の論理ステップは、このブロック１０７への本発明の実施形態に機能的に対応する。
【０１１２】
入力のところのこの場所で下記の接触領域が、手段１０３のブロック１０７に接続している。
・Ｃ１（ＶＣＣ：接触インタフェース７からの供給）；
・Ｃ２（ＲＳＴ：リセット）；
・Ｃ３（ＣＬＫ：接触インタフェース７からのクロック）；および
・Ｃ５（ＧＮＤ：接触インタフェース７を介してのアース）
【０１１３】
手段１０３のこの供給制御装置ブロック１０７の機能は、チップ６に適当な電圧および電力を供給することであり、さらにチップ６に接触インタフェース７または非接触インタフェース３からの供給リソースの出現および／または消失を知らせることである。
この目的のために、上記入力により、手段１０３は、一方では、エリアＣ１を介して接触インタフェース７からの電圧（Ｖｃｃ）を受け取ることができる。他方では、これらの入力により、配線１０５を介して、非接触インタフェース３からの手段１０４の変復調装置からの電圧（Ｖｄｄ）を運ぶことができる。
【０１１４】
手段１０３の入力上においては、接触インタフェース７の使用により標準が適用する制限により、リセット・シーケンスを検出するために、外部クロック信号（ＣＬＫ）およびリセット要求信号（ＲＳＴ）が受信される。
例えば、手段１０３のこれらの入力は、信号という点で、接触インタフェース７からの電圧（Ｖｃｃ）、デジタル・クロック信号（ＣＬＫ）、およびデジタル・リセット信号（ＲＳＴ）の一時的組合せの形をとる。
【０１１５】
このブロック１０７（ＰＷＲ）は、さらに、下記の目的のためにブロック１０７が接続しているチップ６のプロセッサ・ブロック１０８（ＣＰＵ）が、アプリケーションを実行することができるようにする少なくとも１つの構成／情報レジスタ（この実施形態の場合には、レジスタＲ１およびＲ２、図８参照）を含む。
・（３および／または７を介して）どの電圧源を使用することができるのかの通知
・チップ６の供給のための所与の状況で（すなわち３または７またはこれらの組合せを介して）使用する（３および／または７を介しての）ソースの選択。
【０１１６】
図に示すように、手段１０３の供給制御装置を形成しているブロック１０７および／または段階も出力を処理する。
正常に機能している間、ブロック１０７は、（３および／または７を介して）少なくとも１つの外部電圧源が存在する状態にあり、このブロック１０７は、全チップに、選択した構成により、（３および／または７を介して）入力電圧の１つ（または２つの電圧の組合せ）が発生した適当な電圧を供給する。
（３および／または７を介して）電圧源が出現または消失しても、少なくとも１つの使用できる電圧、または実際に、２つの電圧の組合せが十分である場合には、出力電圧はなんら悪影響を受けない。
【０１１７】
それ故、供給制御装置を形成しているブロック１０７および／または段階は、この状態が続く限りブロック１０８（ＣＰＵ）に対する何らのリセット信号を発生しない。
当然、ソーラ・センサまたはアキュムレータのようなオブジェクト１内の搭載エネルギー源に対して準備を行わない限り、（３および／または７を介しての）両方の電圧源が消失した場合には、チップにはもはや電圧は供給されない。
供給制御装置を形成しているブロック１０７および／または段階は、実施形態において、非接触インタフェース３からの供給の出現を示す警報を供給することに留意されたい。
【０１１８】
このような警報を受けているオペレーティング・システムは、機能ブロック１０４および／または等価の論理的段階による非接触トランザクションの初期化をトリガする。その後で、このオペレーティング・システムは、接触アプリケーションの処理を再開する。
この初期化シーケンスは、接触アプリケーションに悪影響を与えないで背景タスクとして処理される。この処理が終了し、非接触テンプレートを完全に受信した場合には、手段１０２および／または論理的警報ステップは、オペレーティング・システムに処理すべきデータを非接触アプリケーションが使用できることを知らせる。
【０１１９】
さらに、ブロック１０７は、（３および／または７を介しての）ソースの利用度の状態が変化した場合、およびより詳細に説明すると、下記の遷移に従って、この場合は中断制御装置の機能を行うブロック１０１に対して中断を発生する。
・接触インタフェース７を介しての供給：能動から停止への遷移１６．１５：これはチップ６がインタフェース３を介して依然として電圧の供給を受けている場合だけ意味がある。
・非接触インタフェース３を介しての供給：停止から能動への遷移１３．１７または１４．１８：非接触インタフェース３を介しての電圧がしきい値電圧より高い場合だけ中断が起こる。例えば、このしきい値電圧の値は、場合によっては「ＰＯＲ」とも呼ぶチップ６の最低動作電圧より若干高い。
・非接触インタフェース３を介しての供給：能動から停止への遷移１７．１３または１８．１４：非接触インタフェース３が受信した電圧がしきい値電圧より低い場合に中断が起きる。
【０１２０】
例えば、臨界電圧の値は、非接触インタフェース３からの供給から接触インタフェース７からの供給へ、非接触供給の完全な停止なしで（すなわち３を介して）、できるだけ迅速に転送を確実に行うために予め定められる。
直接の結果として、チップ６はスリープ・モードになる。
ここで、非接触インタフェース３からのエネルギー源の切断それ故消失は、瞬間的なものではなく、除々に行われることに留意されたい。
すなわち、切断の初期の警報信号は、オブジェクト１が容易に感知することができるものである。この例の場合、切断中、アンテナ４を介しての使用できる電圧の低減は、しきい値電圧内で最初に観察される。アンテナからの電力が、チップ６の最低動作電圧以下になるまでには必ずある時間がかかる。
【０１２１】
しかし、（ある実施形態の場合には、手段１０３および／または選択ステップにより）オペレーティング・システムによりリソース源から確実に切り替えるために、時間が不十分であることが分かった場合には、引き継ぐのは手段１０６および／またはスリープ制御ステップである。
例えば、この状況の場合、手段１０３および／または選択ステップは、切替を行い、オブジェクト１から電力リソースが完全に奪われ、タイミングが悪いリセットを起こすのを回避する。
【０１２２】
この目的のために、この転送は、非接触インタフェース３からのエネルギー源の能動から停止への遷移１７．１３または１８．１４を引き起こす切断よりももっと迅速に行わなければならない。
ブロック１０７のような供給を制御する手段（配線）および／またはステップ（論理）は、本発明の実施形態においてこの転送または切替を保証する。
【０１２３】
手段１０３および／または選択ステップが行われる状態およびより詳細に説明すると遷移に戻って説明する。
・接触インタフェース７を介しての供給：停止から能動への遷移１５．１６：非接触インタフェース３を介してオブジェクト１、それ故チップ６がすでに供給を受けている場合だけ。
・ホット・モードで接触インタフェース７を介しての供給により、接触インタフェース７によるコマンドによる遷移（１６．１６）またはリセット・シーケンス。
【０１２４】
接触インタフェース７および非接触インタフェース３を介してのアプリケーションに関して、ブロック１０７によるブロック１０１への中断発生信号により下記のことを行うことができる。
・非接触インタフェース３からの信号を処理中の場合、接触インタフェース７が処理を要求している、およびリセットのための要求（ＡＴＲ）への応答メッセージの第１のバイトを送信する決定の遵守。
【０１２５】
もう１つの方法は、端末２に、（標準ＩＳＯ７６１８により、「アプリケーション・プロトコル・データ・ユニット」を意味する）「Ａ．Ｐ．Ｄ．Ｕ．」と呼ばれる、２つのアプリケーションの間で交換したパケット内でハイ・レベルのコマンドをオブジェクト１に発行させる方法である。
・接触インタフェース７が処理されている間、非接触インタフェース３の処理の要求、および適当な接触なしでプロトコルの初期化シーケンスをスタートする決定の遵守。
・接触インタフェース７および非接触インタフェース３の両方が別々に機能している場合、これらインタフェース７または３のうちの１つへの供給の喪失（「準切断」と呼ばれる状況）の遵守。
・接触インタフェース７が浅いスリープ状態、または深いスリープ状態にある場合、アンテナ４を介しての供給がなくなった場合、接触インタフェース７がスリープ・モードになるように、遷移１７．１３または１８．１４の保証。
【０１２６】
チップ６およびそのプロセッサ・ブロック１０８が正しい動作状態に確実になるように、ブロック１０８が２つのインタフェース７または３の一方から最初のエネルギー源の供給を受けた場合（チップ６のスリープ状態から「能動」状況のうちの一方への転送）、手段１０３および／または供給制御の論理ステップ、例えば、特にブロック１０７は、ブロック１０８（ＣＰＵ）のリセット・コネクタへ初期化信号を送信する。
これにより、特に、手段１０３を介して、所定のソースから電力を供給することによりその実施が可能になる。
逆に、ある状況の場合には、手段１０３がリセットの禁止を行うことが好ましいと思われる場合がある。
【０１２７】
このようにして、接触領域Ｃ２（ＲＳＴ）からのデジタル信号は、図８の例の場合には、制御手段および／またはステップ（図８の実施形態の場合にはブロック１０７）によりピックアップされる。何故なら、これら手段および／またはステップにリンクで接続しているからである。図８の場合には、このリンクが配線されている。
このようにして、接触インタフェース７からのリセット（コールドまたはホット・リセット）要求シーケンスは、任意の他の周辺機器と同じ方法で、中断制御装置ブロック１０１に中断を起こさせる。
【０１２８】
それ故、そのデータが接触インタフェース７を呼び出すアプリケーションは、汎用送信ブロック−接触インタフェース７専用であり、接触領域Ｃ７が接続している非同期受信１０９を介して、リセット要求（ＡＴＲ）に応答メッセージを送信する必要があるかないかを判断するために、この信号を使用することができる。
ここで、図８の実施形態の場合には、即時警告の手段１０２および／または適切なステップは、もう１つの汎用送信ブロック、非同期であるが非接触インタフェース３のその一部専用の受信を含むことに留意されたい。
【０１２９】
実施の際のオプションとして、手段１０３は、また、入力上で、場合によっては「スリープ  ＣＴＲＬ」とも呼ばれるスリープ制御装置を形成している機能ブロック１０６からの信号を受信する。ある実施形態の場合には、論理的段階も、スリープ制御装置の少なくとも一部を形成する。
入力のところで手段１０３に接続しているブロック１０６は、必要な場合には、電圧源の選択に参加する。
必要な場合には、機能ブロック１０６は、すでに説明したように、構成レジスタが行った電源の選択の試みを無視する。
この場合、選択ロジックは、それ故耐性手段１０３の一部を形成しているこのスリープ制御装置ブロックにシフトされる。
【０１３０】
ここで遷移１３．１７について説明する。状態１７からの遷移１７．１３、１７．１５および１７．１６の他に、状態１７への遷移１６．１７についても以下に説明する。
遷移１３．１７は、端末２が待機状態１３にある状況に対応する。この場合、アンテナ４は、適当なインタフェース３を介して処理される非接触磁界により呼び出される。
遷移１６．１７は、最初に、端末２が、すでにデュアル・インタフェース動作１６になっている例に対応する。この場合、アンテナ４は非接触インタフェース３を介してアプリケーションを処理中であり、一方、接触インタフェース７はプロンプトされている。
【０１３１】
この場合、オブジェクト１は、接触インタフェース７から消費されるリソースを制限するように命令される。
インタフェース３および非接触アプリケーションが使用するリソース（クロック、入力データおよび出力データ等）の他に、未決磁界のこの状態１７を保証するために、リソース、特にエネルギーが必要になる。
それ故、この場合の目的は、端末２が浅いスリープ状態を課しながら、非接触インタフェース３を呼び出す処理をできるようにすることである。
【０１３２】
現在まで、このような場合、この状況は下記のようになる。
このような状況の場合、現在のオブジェクト１は、（３を介して）非接触アプリケーションを停止する遷移１６．１３を行うが、このような遷移（１６．１３）は実際には使用されない。
実際には、現時点においては、接触インタフェース７を介しての端末２のこの場合（エネルギー、クロック等）は、リソースに課せられる限界を超過しているということを知っていながら、状態１６のままでいる。
【０１３３】
それ故、上記の場合には、
・標準に適合していないで、オブジェクト１は互換性を有さない。
・端末２のメーカーは、自分の装置（２）上に分岐された投資に返却しないで、消費したそのリソースをチェックする。
・インタフェース７を介して、オブジェクト１によりセキュア状態になっている電気通信オペレータおよび他のサービス・プロバイダは、投資への返却なしで使用され、そのネットワーク上で分岐されたその通過帯域のビジネス・チャンス（広告、主サービス消費等）をチェックする。
・キャリア８は不快になる。何故なら、分岐された後者の端末２のリソース（バッテリー等）が、それにより特に端末（２）の電力の点で独立性が低減するからである。
【０１３４】
遷移１７．１６は、上記遷移とは反対である。実際には、本発明の実施形態でこれを保証するために実施したステップおよび／または手段は、電気的リソースが接触インタフェース７を介して使用できるという点を除けば、ステップ１６．１７のステップおよび／または手段とほぼ同じものである。
ここで、遷移１７．１３および１７．１５について説明する。実際には、本発明の実施形態でこれを保証するために実施したステップおよび／または手段は、逆のステップ１３．１７のステップおよび／または手段とほぼ同じである。
【０１３５】
ここで図４について説明する。この図は、手段１０３が、インタフェース７のエリアＣ１により、セキュア状態になる端末２に接続している、本発明によるオブジェクト１内の回路の一部を備える本発明のある実施形態を示す。「ＰａｕｓｅＣ」モードがトリガされた場合に、使用するリソース（電力）の非接触アプリケーション１０により選択することができるようにするために、非接触インタフェース３（アンテナ４）からの消費電力制限ダイオード２０に対して準備が行われる。
さらに、これらの手段１０３は、２つの電力消費モード間で確実に切替を行う機能データ処理ブロック２１を備える。
・ガルバニック・インタフェース７を介して；または
・非接触インタフェース３を介して。
【０１３６】
図５は、同様に、セキュア状態になる端末２に接続している、本発明によるオブジェクト１内の手段１０３の回路の他の一部を示す。
回路のこの他の一部は、電力源の修正（状態１７への遷移）に対するオブジェクト１の耐性のための素子２２を形成する。
これらの耐性素子２２は、過剰な電力の吸収抵抗２３を備える。
素子２２は、さらに、その進行の他にこれら消費を示す結果の値により、（ガルバニック・インタフェース７または非接触インタフェース３を介して）２つの電力消費モード間の選択を切り替え、保証するための論理的手段２４を備える。
素子２２は、非接触アプリケーション１０が、チップ６に「非接触」入力供給接触２５を介して必要なリソースを供給しながら、これを要求した場合に、接触インタフェース７からのリソース（電力）を消費しないで、動作できるようにするために使用するリソースを選択する。
【０１３７】
ここで、深いスリープの際にピックアップした磁界と呼ばれる状態１８について説明する。この状態１８は、状態１７に類似している。図６がこの状態を示す。
この状態１８の場合、状態１７の例のように、接触アプリケーションは、現在のトランザクションのコンテキスト内の端末２からのコマンドを待機する。
状態１８は、他の不可能な状態１７から、本発明の目的のための想像からのものである。
この場合、解決すべき問題は、上記問題と類似している。何故なら、この問題は非接触インタフェースに依存するアプリケーションがスタートした場合に、深いスリープ状態になるクロック源の消失をサポートすることを目的としているからである。
【０１３８】
これは、遷移が接触インタフェース７上にクロック・ポーズを含む深いスリープ状態を課している場合に、非接触インタフェース３が供給するクロックが消失した場合である。
現在まで、標準は、この場合、特に、接触インタフェース７に接続している端末２が、非接触アプリケーションにとって必要なクロックの供給を停止するように規定している。
多数のオブジェクト１を使用している場合には、さらに、インタフェース（３または７）のクロックから独立している、チップ６が供給する内部クロックを使用することはできない。それ故、あるオブジェクト１の場合には、チップ６は依然として外部クロック基準を必要とする。
【０１３９】
本発明の目的は、標準がこの接触インタフェース７上でこのことを要求している場合に、接触インタフェース７からの任意のリソース（例えば、クロックおよび／または電力）を消費しないで、非接触アプリケーションが動作できるようにすることである。
ここで、それ故、問題は、接触インタフェース７からのこのクロック・リソースの出現（遷移１８．１７）および消失（遷移１７．１８）の関数としての、クロック停止（表１Ａおよび１ＢのＰａｕｓｅＣ）の管理である。
【０１４０】
接触インタフェース７からの、または非接触インタフェース３からのクロック・リソースが存在する限りは、現在のオブジェクト１は、データの喪失を全然心配しないで、アプリケーション９または１０を処理することができる。
しかし、これらのクロック・リソースが消失した場合、および「内部」クロック・リソースを使用できない場合は、すなわち、上記表内の「ＰａｕｓｅＣ」の状態が（「はい」から「いいえ」へ／「いいえ」から「はい」へ）変化すると、タイミングが悪いリセットを起こす恐れがあり、許容できない状況になる場合がある（上記参照）。
【０１４１】
図８の場合には、内部クロック１１３の位置は、この場合は供給配線１１４に接続している参照番号１１３で示す。
現在、接触インタフェース７または非接触インタフェース３が組織的にクロックを供給しなければならないという点で、「内部」クロックを発生できるようにする、またはできないようにするオブジェクト１（およびチップ６）の構造に関連する２つの場合を区別しなければならない。
しかし、ある現在のオブジェクト１は、この影響を受けない。「内部」クロック・リソース、簡単な電力供給の関数としてチップ６が発生したクロック信号は、これらのリソースが使用できるかぎり、オブジェクト１上に供給される。
【０１４２】
本発明による他のオブジェクト１の場合には、手段１１０および／または等価のクロック制御の論理ステップにより状態１８を達成することができる。
本発明によるクロック制御のこれら手段１１０（および／または論理ステップ）は、実施形態においては組織的に（すなわち、遷移とは無関係に）、非接触アプリケーション１０を処理するために、非接触インタフェース３からのクロック・リソースに依存する。
本発明の場合には、遷移１４．１８は、オブジェクトが、「ＰａｕｓｅＣを含む低電力」状態１４にある場合には、アンテナ４によりピックアップした磁界の到着に対応する（セル端末の例の場合）。
この場合、目的は接触インタフェース７が使用できるようにしたエネルギーを節減することである。何故なら、現時点においては、チップ６は、デュアル・インタフェース動作を達成するために、（状態１２に）完全に覚醒しているからである。
【０１４３】
本発明が使用する解決方法（クロック制御の手段１１０および／または論理ステップ）は、非接触インタフェース３の側上でオブジェクト１にその供給源を強制的に探させる準備をする。
しかし、これはオブジェクト１が、アンテナ４からの信号を受信することができるようにするためだけである。しかし、アンテナ信号４を受信することができるオブジェクト１は、クロック無しで低消費状態１８にさらに維持される。
状態１８からスタートして状態１４になるために（遷移１８．１４）、本発明の解決方法（クロック制御の手段１１０および／または論理的状態）は、例えば、配線手段を介して、インタフェース３のアンテナ４が供給した電力内の変動を観察するための準備をする。
この観察は、区別パラメータおよびステップであり、遷移１８．１４の事前警報である。それ故、手段１０３および１１０が共通な点を有していることを理解することができるだろう。
【０１４４】
非接触インタフェース３の側上での切断中、テンプレートを受信しているカプラからアンテナ４を遠ざけると、非接触インタフェース３上の電圧がかなり徐々に下がることをもう一度思い出されたい。それ故、機能不全を避けるために、大部分の場合に短いが十分な時間を入手することができる。
【０１４５】
本発明によれば、手段１０３または１１０が測定した値が、しきい値電圧値以下である場合には、このパラメータを示すフラッグ信号が、オペレーティング・システムに送られる。この場合、クロック制御ステップにより、および／または手段１１０を介して、下記のことが起こる。
・（実施形態により、ケーブルおよび／またはアプリケーションによる）深いスリープ状態への移行。
【０１４６】
ここで、一方では接触なしでインタフェース３を介しての動作状態１５および他方では深いスリープ状態での磁界のピックアップ状態１８の間の直接遷移１８．１５について説明する。
この遷移１８．１５は、セル端末２の例の場合には、端末２が最初に作動を中止する場合、すなわち非接触トランザクション１０が進行中にオフになるか、または動作していない場合に対応する。
現時点においては、状態１８およびそれ故それを含むすべての遷移は不可能であり、アクセスすることができない。
【０１４７】
それ故、本発明は、強制リセットの制約に当面するのを避けるためのクロックのズレに対するニーズを満たす。
２つ以上のインタフェース（接触インタフェース、非接触インタフェース、ＵＳＢ等）を含んでいて、これらインタフェースのうちの少なくとも２つを同時使用するためのオブジェクト１の場合には、他の問題が起こる。
この問題は、オブジェクト１内で実行したアプリケーションは、インタフェースのうちのどれが能動状態にあるのか、そのインタフェースがどんな状態にあるのか（すなわち、インタフェースのうちのどれだけ多くがおよびどれが電力および／またはクロックを供給しているのか）をリアルタイムで判断することができないことである。
【０１４８】
それ故、オブジェクト１内の搭載アプリケーションは、現時点では、インタフェース３または７の状態の機能について必要な判断を行うことができない。
そのため、このアプリケーションは正しく機能することができない。例えば、それ故、切断を通知しないというリスクがあり、それ故、まだその時がきていないのに作動を中止した非接触インタフェース３上でスタートしたトランザクションのキャンセルの後で、進行中の非接触アプリケーションが正しく中断しない。
【０１４９】
例えば、現時点においては、複数のインタフェースを含むオブジェクトにおいては、オブジェクト１内の搭載アプリケーションが、中断なしで引き続き実行中である場合に、例えば、インタフェース３または７を作動させたり、作動を中止させたりすることができる。１つまたは実際にはいくつかのインタフェースが作動を中止しても、オブジェクト１が動作していないということにはならない。すべてのインタフェース３、７または他のインタフェースが動作を中止した場合だけ、オブジェクト１は実際に動作を中止する。
【０１５０】
これらの問題を解決するために、本発明は、手段１１１および／またはアプリケーションの継続管理ステップを提案する。
これらの手段１１１および／または継続管理ステップは、進行中の非接触トランザクションの手段１０１および／または維持ステップといくつかの共通点を有する。
【０１５１】
図８は、中断制御装置と呼ばれる手段１０１のブロックを示す。このブロックは、いくつかの周辺機器からの中断信号を集中管理する機能ブロックである。
このブロックは、中断入力接触１１２によりブロック１０８（ＣＰＵ）のところの中断の到着を示す。制御装置ブロックは、また、ブロック１０８が下記のことをすることができるようにする情報／構成レジスタを有する。
・どの周辺機器が中断を発生したのかを知ること、および／または
・所与の周辺機器が発生した中断を作動および／または作動中止すること（中断のマスキング）
【０１５２】
ここで、継続管理ステップに従っておよび／または名祖手段１１１が発生した、中断信号のいくつかの例について説明する。
・供給管理ブロック（ＰＷＲ）１０７からの中断信号は、電圧源の出現または消失を示す。これにより、ブロック１０８内で実行したアプリケーションは、配線が運んだ信号が含まれている場合、物理レベルで、インタフェース３および７の状態を知ることができる。
・同様に、ブロック１０７からの中断信号は、接触インタフェース側のＩＳＯリセット・シーケンスを示す。
・ブロック１０２からの特にその汎用送信ブロックからの非接触インタフェース３専用の非同期受信、中断信号は、非接触テンプレートの完全な取得を示す。例えば、実際には、このブロック１０２によりおよび／または背景タスクとして、衝突防止シーケンスはうまく実行される。
・汎用遷移ブロック１０９からの、接触インタフェース７専用の非同期受信、中断信号は、このインタフェース７からのバイトのシーケンスが正しく取得されたことを示す（そのサイズは、１から「ｎ」に等しくなると判断される。すなわち、このシーケンスのバイト数である）。
【０１５３】
図８のプロセッサ・ブロック１０８の実施形態についてさらに詳細に説明する。
ブロック１０８は、チップ６内で動作し、そのためオブジェクト１は、実際にデータを処理する。図８の場合、このブロックは、とりわけ、入力上で下記のものを受信する。
・（電圧供給配線１１４およびアース１１５を介しての）電流供給；および
・（接触１１２に接続していて、ブロック１０８および１０１を接続している中断配線１１９を介しての）中断信号；および
・以下に説明するクロック制御ブロック１１８に接続しているクロック入力配線１１７を介してのクロック信号；および
・配線１１６を介してのリセット信号；および
・ブロック１２４に接続している配線１２５を介してのデータ。
【０１５４】
このブロック１０８は、ブロック１０８に接続している配線１２６が、バス１２４上でデータの交換が行われる周辺機器を選択することができるアドレスの入力−出力を確保している場合に、バスを形成しているブロック１２４を介して周辺機器とデータを交換する。
さらに、ブロック１０８（ＣＰＵ）は、ブロック１２０のメモリ（図８のＲＡＭ１２２、ＲＯＭ１２１およびＥＥＰＲＯＭ１２３）内に記憶している一連の命令を含む実際の接触および／または非接触アプリケーション（９／１０）を実行する。
ブロック１０８は、電力の供給を受けている場合には、スリープ・モード中であるといわれるが、接触および／または非接触アプリケーション（９／１０）を実行している場合には、いくつかのリソース（特に電気リソース）を消費することができる（そのコンテキストがセーブされた状態で）一時停止に設定される。
ブロック１０７を含む電源の変動への耐性ステップおよび手段１０３については図８のところですでに説明した。
【０１５５】
耐性手段１０３においては、機能ブロック１０４は、変復調装置および衝突防止処理素子を備える。このブロックは、特に、アンテナ４が受信した無線周波を、この場合は、接触Ｃ４およびＣ８を介して下記のものに変換する働きをする。
・ブロック１０７への電圧
・ブロック１１８へのクロック信号
・汎用送信ブロック１０２へのデータ  −  非接触インタフェース３専用の非同期受信。
アンテナ４がピックアップした非接触送信のタイプに特定の衝突防止ステップは、この場合は、処理ブロック１０８の機能に悪影響を与えないで、背景タスクとして透明に供給される。
【０１５６】
クロック制御ブロック１１８についてはすでに説明した。このブロック１１８の目的は、ブロック１０８（ＣＰＵ）およびそれを必要としている周辺機器に適当なクロック信号を供給することである。このブロック１１８は入力のところで下記のものを受信する。
・接触Ｃ３上で入手することができるクロック信号（ＣＬＫ）；
・変調装置／復調装置を含むブロック１０４からのクロック信号；
・そうしたい場合には、内部クロック・ブロック１１３の信号。この内部クロックは、供給制御装置ブロック１０７が供給した電圧から生成しなければならない。ある実施形態の場合には、このようなブロック１１３は、任意の外部時間遅延リソースから独立しているクロック信号を得るのに有用である場合には、実施を容易にする。
クロック制御ブロック１１８は、プロセッサ・ブロック１０８が処理したアプリケーションが、このブロック１０８に供給されたクロックの物理的ソースを選択することができるようにする、または自動モードを選択することができるようにする構成／情報レジスタを有する。
【０１５７】
本発明の共通の実施形態は下記の通りである。クロック源の選択は、ブロック１１８により自動的に行われるので、チップ６はいつでもクロック信号だけ遅れる。
本発明は、また、時間遅延手段および／またはステップに対して準備をする。通常、時間遅延源の選択は、オペレーティング・システムからの配線および／または論理的段階により行われる。例えば、接触および非接触アプリケーションの両方にとって、端末２に対するオブジェクト１の活動を試験するために、時間遅延源を入手することができるようにする必要がある（存在の確認）。
【０１５８】
本発明のある実施形態では、時間遅延源は、下記のためにだけ使用される。
・オブジェクト１、特にそのチップ６への内部（例えば、「ＰＬＬ」と呼ばれる位相ロック・ループの形をしている）；
・非接触インタフェース３からの；
・接触インタフェース７からの。
【０１５９】
図８は、ブロック１２６内に位置する時間遅延源を選択するための例示としての手段を示す。時間遅延源を選択するためのこれら手段は、下記のところからこの目的の配線に対しておよび／または入力信号を受信する。
・チップ６および内部（例えば、ブロック１１８または１１３からの）；
・非接触および内部（手段１０４からの）；
・接触および外部（接触領域Ｃ３からの）。
【０１６０】
ブロック１１８は、いつでも、必要に応じて、チップ６へのクロック信号を供給する（エネルギーを節約するために深いスリープ状態にある場合を除いて）。
ここで、スリープ状態の場合、入力および／または出力ステップを管理する、ある場合には、「ＳＬＥＥＰ  ＣＴＲＬ」と呼ばれるブロック１０６について説明することとする。
図８の実施形態の場合には、このブロック１０６の機能は、セル端末の例の場合には電話標準である接触インタフェース７に適用される標準との適合性を保証することである。
それ故、電力消費の制限および「ＰａｕｓｅＣ」のサポートについて説明する。
【０１６１】
図８の場合には、ブロック１０６は、入力上に、特に中断制御装置ブロック１０１からの配線を有する（プロセッサ・ブロック１０８の覚醒を条件づけるイベントを示す信号を受信するために）。
出力上に、このブロック１０６は特に下記のものを有する。
・プロセッサ・ブロック１０８の覚醒信号が送られるブロック１０１からのケーブル；
・ある実施形態の場合だけ、チップ６の電源が強制されるブロック１０７からの配線。
【０１６２】
このブロック１０６は、また、ブロック１０８により処理されたアプリケーションが、このブロック１０８を覚醒することができるイベントを選択することができるようにする情報／構成レジスタを有する（例えば、ブロック１０９内のバイトの到着のステップ中および／またはアンテナ４を介してのテンプレートの出現中）。
【０１６３】
ある実施形態の場合には、本発明は、また、接触インタフェース７の側で進行中の動作モードを選択するための手段および／またはステップのために準備する。進行中の動作モードのこれらの選択手段および／またはステップに従って、アプリケーションは、接触インタフェース７から許可された現在の最大消費はいずれであるかを決定する。
進行中の動作モードのこれらの手段および／または選択段階は、電力および／またはクロックの点でチップ６の供給源を選択する。それ故、動作モードのこれら手段および／または選択段階は、チップ６をスリープ・モードにする。
【０１６４】
本発明の実施は、「正常」と呼ばれる動作に対して準備をする（状況１３または１４）。この場合、接触インタフェース７を介してのトランザクションだけが進行中であるが、端末２はコマンドを今まで送信していない。
それ故、チップ６は、待機状態にあり、電力消費制限の制約を実行するために、アプリケーションは、ブロック１０８の専用命令により、ブロック１０８をスリープ・モードに移行する。
新しいコマンドが到着した場合（すなわち、ブロック１０９の入力のところで活動が検出された場合）、ブロック１０８はこのブロック１０６により覚醒し、アプリケーションが再開する。
【０１６５】
ブロック１０８がスリープ・モードである場合に、非接触トランザクションがインタフェース３にプロンプトし、スタートした場合には、しかし接触インタフェース７側でエネルギーを全然消費しないで、またはクロックを要求しないで、このトランザクションを処理するためにブロック１０８がこのブロック１０６により覚醒する。
それ故、オプションとして、このブロック１０６は、ブロック１０７に、ブロック１０７がブロック１０４を介して自身にエネルギーを供給し、その後でブロック１０８を覚醒しなければならないことを知らせる。
【０１６６】
他の代わりのルートは、このブロック１０６が最初に、ブロック１０８を覚醒し、アプリケーションが、この場合、覚醒した場合に非接触トランザクションがスタートすることを知らせる信号を受信するルートである。次に、オペレーティング・システムは、非接触インタフェース３が受信した電力を使用するためにブロック１０７を構成する。
この方法は、接触インタフェース７からのエネルギーを消費し、非接触インタフェース３からのエネルギー源にブロック１０７を迂回させるために、オペレーティング・システムが時間を必要とするという欠点がある。
【０１６７】
この欠点を補償するために、ある実施形態の場合には、ブロック１０６は、レジスタを介しての接触インタフェース７からの消費制限に適合するために、ブロック１０６がアプリケーションにより構成される。
この場合、そうでない場合、接触インタフェース７上での過度の消費を避けるブロック１０８（ＣＰＵ）を覚醒する前に、ブロック１０７を再構成するのはブロック１０６である。
【０１６８】
インタフェース３を介しての非接触トランザクションが停止すると（このインタフェースが受信する電力が所定の限界しきい値以下に下がった場合）、および接触インタフェース７を介してのトランザクションが依然として未決状態である場合、消費制限は、（電流リソースが不十分であるために）ブロック１０８が直ちにスリープ・モードになることを要求する。この場合、このことはこのブロック１０６により自動的に行われる。
【０１６９】
他の実施態様の場合には、あるステップが、アプリケーション自身がブロック１０８が直ちにスリープ・モードに戻るように要求する事態に対して準備する。
実際には、ブロック１０７は、所与の時間に、このブロック１０８が処理したアプリケーションに通知する（非接触インタフェース３を介しての電力の供給の中断、「能動状態」から「停止状態」への遷移により）。
電力供給のこの中断を示す信号は、迂回に応じてその処理を行うことができ、スリープ・モードになることができるブロック１０８の命令をできるだけ迅速に呼び出すことができるアプリケーションにより受信される。
【０１７０】
このような実施形態の場合には、このことは、非接触インタフェース３が使用することができる電圧が不十分になる前に行われる。
即時警告の手段１０２および／または適切なステップは、それぞれ直列に周辺機器および通信ステップのブロックを含む。
出力上において受信バッファ・メモリが満杯になると、すなわち非接触プロトコル・テンプレートを受信し、チップ６により処理することができる場合には、中断が発行される。
これにより、アプリケーションはデータの受信により悪影響を受けないで、いくつかの処理動作を行うことができる。これらの中断は、アプリケーションに処理のためにデータを使用することができることを示す。
【０１７１】
上記説明を読めば、本発明による結合オブジェクト１および端末２は、特に、深いスリープ状態での磁界ピックアップ未決状態の状況１７および磁界ピックアップ状態のピックアップ１８の追加により、デュアル・インタフェースを含む動作の場合に、現在適用することができる標準に適合することができる。
特に、上記遭遇問題が解決する。
【０１７２】
それ故、接触インタフェース７のリセットの強制的な作動により現在行われている効果とは異なり、チップ６を再初期化する必要がない。
このことは、非接触インタフェースを介して進行中のトランザクションが、引き続き正常に進行することを確実にし、また、接触インタフェースのリセットの作動の際に現在待機状態の「ＡＴＲ」と呼ばれる応答が、実際には再初期化されていなくても、接触インタフェースにより確実に戻るようにする。
すなわち、接触インタフェースの始動の際、進行中の非接触トランザクションの維持ができるようにしようとする。この点について、追加の補助問題からなる、いわゆる「ＡＴＲ」応答が所与の時間内に発生することは非常に重要であることに留意されたい。
【０１７３】
本発明によるオブジェクト１が、その２つのインタフェース３および７により同時に供給された場合、モードＰａｕｓｅＣが作動すると、クロック源は、接触アプリケーション９が必要とするクロックの供給を中止するように端末２に現在求めている標準に適合する。
このことは、外部リソースのオペレーティング・システムにより選択手段１９を介して行われる。
この場合の１つの利点は、アプリケーションが、このことが要求された場合、接触インタフェース７からのリソース（この場合は、電力および／またはクロック）を消費しないで機能することができることである。
【０１７４】
端末２のためにアプリケーション９を処理しているオブジェクト１の場合には、この時点で、そのデータが非接触インタフェース３を通過する他のアプリケーション１０を作動することができる。
すなわち、本発明を使用すれば、オブジェクト１が接触アプリケーションを処理している場合、この時点で、このオブジェクトは同時に非接触アプリケーションのスタートを受け入れることができる。
それ故、本発明は、２つの同時アプリケーション９および１０の完全な同時管理を提供し、進行中のアプリケーションに悪影響を与えないで、非接触テンプレートの非同期到着を可能にする。
【０１７５】
耐性手段２２およびスイッチング手段２４は、図５の実施形態の場合、その非接触インタフェース３により、オブジェクト１の電力が中断した場合、オブジェクト１の耐性を保証する。
この利点は、非接触アプリケーション１０が、接触インタフェース７がこれを禁止した場合、接触インタフェース７からのリソース（電力）を消費しないで動作することができることによるものである。
オブジェクト１内に２つ以上のインタフェース（接触インタフェース、非接触インタフェース、ＵＳＢ等）がある場合には、本発明を使用すれば、これらインタフェースのうちの少なくとも２つを同時使用することができる。
【０１７６】
それ故、オブジェクト１内で実行したアプリケーションは、どのインタフェースが能動状態にあるのか（すなわち、どれだけ多くのインタフェースおよびどのインタフェースが電源およびクロックを供給しているのか）を判断することができる。
それ故、オブジェクト１内の搭載アプリケーションは、インタフェース３および７の状態により必要な判断を行うことができる。
それ故、例えば接続が切れた場合に、このアプリケーションは正確に機能することができる。
下記の表は、本発明の利点および特定の機能の要約を示す。
【０１７７】
【表３】
2007520794.tif 000005
【図面の簡単な説明】
【０１７８】
【図１】本発明による非接触インタフェースを備えるインテリジェント・ポータブル・オブジェクトの一例を示す簡単な縦立面斜視図である。
【図２】インテリジェント・ポータブル・オブジェクトの挿入によりセキュア状態になっているセル通信とのポータブル補助装置の形をしている端末の本発明の一例を示す簡単な縦立面斜視図である。
【図３】オブジェクトがここでは携帯電話または類似のものの形をしている端末に挿入されている本発明の機能を示す略図である。
【図４】セキュア状態になる端末に接続している本発明によるオブジェクト内の回路の一部を上から見た略図である。
【図５】セキュア状態になる端末に接続している、本発明によるオブジェクト内の回路の一部を上から見た略図である。
【図６】実際に観察した端末に挿入したオブジェクト内の従来のステップおよび遷移を示す簡単な論理グラフである。
【図７】図６類似の簡単な論理グラフであるが、この図は本発明によるステップおよび遷移を示す。
【図８】特に、どのインタフェースが能動状態にあるのか、そのインタフェースがどんな状態なのかを判断するのに適している、本発明のある実施形態によるインテリジェント・ポータブル・オブジェクトの配線の論理図面およびチップの論理アーキテクチャである。
【図１】
2007520794.tif 000006
【図２】
2007520794.tif 000007
【図３】
2007520794.tif 000008
【図４】
2007520794.tif 000009
【図５】
2007520794.tif 000010
【図６】
2007520794.tif 000011
【図７】
2007520794.tif 000012
【図８】
2007520794.tif 000013
【国際調査報告】
2007520794.tif 000014
2007520794.tif 000015
2007520794.tif 000016
2007520794.tif 000017
2007520794.tif 000018
2007520794.tif 000019